(57)【要約】【課題】樹脂製の表側板状部材を有する遊技盤を備えつつも、金属製レールを好適に取り付けることができる遊技機を提供する。【解決手段】貫通孔（Ｋ２２等）が複数個所に設けられ、樹脂製の表側板状部材５００と、その裏側に配置され、貫通孔（Ｋ２２等）の裏側に位置する部位に貫通孔（Ｋ２２等）に嵌合される嵌合用突部６００Ｋが形成された裏側板状部材６００と、を具備する遊技盤を備える。また、金属製の帯状体を用いて構成されるレール本体（外側レール１３等）と、その一方の側縁部から突出する固定用突起（８２０等）を構成すると共に金属製のレール固定部材（レール固定用のピン８００等）と、を有する、金属製のレール部材を備える。嵌合用突部６００Ｋには、固定用突起（８２０等）を挿嵌させつつ固定可能な固定穴６０１Ｋが、嵌合用突部６００Ｋの突端部で開口する状態に設けられる。【選択図】図１２
2008029656.tif 000002
【特許請求の範囲】
【請求項１】
表裏面を貫通する貫通孔が複数個所に設けられる樹脂製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
金属製の帯状体を用いて構成されると共に前記遊技盤の表面部に一方の側縁部を当接させつつ前記遊技盤の表面部から突出する状態に配置されるレール本体と、前記レール本体の複数箇所に各々装着されて前記レール本体の前記一方の側縁部から突出する固定用突起を構成する金属製のレール固定部材と、を有する、金属製のレール部材と、
を備え、
前記嵌合用突部には、前記固定用突起を挿嵌させつつ固定可能な固定穴が、前記嵌合用突部の突端部で開口する状態に設けられることを特徴とする遊技機。
【請求項２】
表裏面を貫通する貫通孔が複数個所に設けられる樹脂製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
帯状体を用いて構成され、前記遊技盤の表面部に一方の側縁部を当接させつつ前記遊技盤の表面部から突出する状態に配置されるレール本体と、該レール本体の前記一方の側縁部の複数個所から突出する固定用突起と、を有する、金属製のレール部材と、を備え、
前記嵌合用突部には、前記固定用突起を挿嵌させつつ固定可能な固定穴が、前記嵌合用突部の突端部で開口する状態に設けられることを特徴とする遊技機。
【請求項３】
前記嵌合用突部は、前記裏側板状部材と一体で成形されていることを特徴とする請求項１又は２に記載の遊技機。
【請求項４】
前記裏側板状部材及び前記嵌合用突部が、前記表側板状部材よりも弾性の高い素材で構成されていることを特徴とする請求項３に記載の遊技機。
【請求項５】
前記裏側板状部材の表面部において前記貫通孔の裏側に位置する部位には、孔状若しくは凹部状の被装着部が各々開口し、
前記被装着部には、前記表側板状部材よりも弾性の高い素材で構成される弾性部材の一端部側が装着されると共に、
前記弾性部材において、前記裏側板状部材の表側に突出する他端部側によって前記嵌合用突部が構成されていることを特徴とする請求項１又は２に記載の遊技機。
【請求項６】
前記裏側板状部材が、第１の板状体の裏側に第２の板状体を配置した積層体として構成され、
前記第１の板状体において前記貫通孔の裏側に位置する部位には前記貫通孔と連通する連通孔が各々設けられ、
前記第２の板状体において前記連通孔の裏側に位置する部位には固定用突出部が各々設けられ、該固定用突出部の基端部側が対応する連通孔に挿通されると共に該固定用突出部において前記第１の板状体の表側に突出する突端部側によって前記嵌合用突部が構成されることを特徴とする請求項１又は２に記載の遊技機。
【請求項７】
前記裏側板状部材が、第１の板状体の裏側に第２の板状体を配置した積層体として構成され、
前記第１の板状体において前記貫通孔の裏側に位置する部位には前記貫通孔と連通する連通孔が各々設けられ、
前記連通孔には、前記表側板状部材よりも弾性の高い素材で構成される弾性部材が挿通されると共に
前記弾性部材において、前記第１の板状体の裏面部側に位置する一端部が前記第２の板状体の表面部に当接され、前記弾性部材において、前記第１の板状体の表側に突出する他端部側によって、前記嵌合用突部が構成されていることを特徴とする請求項１又は２に記載の遊技機。
【請求項８】
前記表側板状部材が透明板を用いて構成されると共に、前記表側板状部材の裏側であって前記裏側板状部材の表側に位置する部位に、セル画が形成されていることを特徴とする請求項１〜７の何れか一項に記載の遊技機。
【請求項９】
所定の画像を表示するための表示画面を有する画像表示装置を具備すると共に、
前記裏側板状部材が表裏を貫通する状態の貫通部を具備し、前記表側板状部材のうちの少なくとも前記貫通部の前方に位置する部位が透明部とされ、
前記表示画面を、前記貫通部によって前記遊技盤の前方から視認可能な状態としつつ、前記画像表示装置を前記裏側板状部材の後方に配置したことを特徴とする請求項１〜７の何れか一項に記載の遊技機。
【発明の詳細な説明】
【技術分野】
【０００１】
本発明は遊技機に関し、特に、いわゆるセブン機、羽根物、権利物又はアレンジボール等の弾球遊技機に関する。
【背景技術】
【０００２】
例えば、弾球遊技機は、（１）設置部位（パチンコホールの島設備に設けられる設置部位等）に設置される外枠と、（２）略扉状に構成されると共に、外枠の左右方向に沿った一側に、開放動作が可能な状態で装着される中枠と、（３）この中枠の保持部によって、表面部（前面部）を遊技者の方向（つまり、前方）に向けた状態で、しかも、着脱自在な状態に保持される遊技盤と、（４）略扉状に構成されると共に、遊技盤の表面部を覆う透明板（通常、ガラス板によって構成される。）を具備し、中枠の前面部側に開放動作が可能な状態で装着される表扉部材（ガラス扉枠、若しくは、前面枠と称することがある。）と、（５）略扉状に構成されると共に、中枠の前面部側のうちで遊技盤の保持位置よりも下方側の部位に、開放動作が可能な状態で装着され、遊技機内から排出される遊技球を貯留するための上皿部材等を備えている。
【０００３】
この遊技盤の表面部には、通常、２本の「金属製レール（つまり、外側レールと内側レール）」が、一方の側縁部を当接させ、しかも、略円弧状に湾曲されつつ、前方に突出する状態に配置される。つまり、遊技盤の表面部には、（Ａ）長尺で金属製の帯状板を、開口部を下方若しくは側方に向けた略円弧形状（Ｃの字状）としつつ配置して構成される外側レールと、（Ｂ）外側レールの配置箇所の内側において、長尺で金属製の帯状板を、開口部を上方に向けた略円弧形状（Ｃの字状）としつつ配置して構成される内側レールと、が配設される。
【０００４】
この遊技盤の表面部において、外側レールと内側レールとが略円形、略楕円形、若しくは、長円形等に略取り囲む部位が遊技領域と称される。また、遊技盤の表面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。
【０００５】
また、中枠の前方であって、遊技盤の下方の部位には、発射装置と、左上がり傾斜状の発射レールとが配置されている。そして、この弾球遊技機においては、発射ハンドルを用いて発射装置を操作すると、この発射装置から遊技球が打ち出される。そして、この打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００６】
更に、この種の弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う判定結果表示手段と、を備えている。尚、（ａ）専用の表示装置（前述の画像表示装置とは別の表示装置の意味で用いる。）、若しくは、（ｂ）前述の画像表示装置が、「判定結果表示手段」として機能してもよいし、（ｃ）専用の表示装置及び画像表示装置の双方が、「判定結果表示手段」として機能してもよい。
【０００７】
この「判定結果表示手段」によって、大当り表示（当否判定の結果が、大当りであったことを示す表示）がなされると、遊技機の遊技状態が「通常遊技状態」から「大当り遊技状態」に移行する。そして、遊技機の遊技状態が「大当り遊技状態」に移行すると、「大入賞装置」の状態が、所定の態様に従って、「遊技球を受け入れ可能な状態」、若しくは、「遊技球を受け入れ容易な状態」に変化する。
【０００８】
前述の金属製レール（つまり、外側レールと内側レール）は、例えば、以下のように、遊技盤に固定される。つまり、遊技盤の表面部において、各金属製レールが当接する当接箇所（各金属製レールの一方の側縁部が当接する箇所）は略円弧状に形成されるが、この当接箇所には、所定の間隔で複数個の固定穴が設けられる。一方、各金属製レールの「一方の側縁部側」には、その長手方向に沿った所定の間隔で、装着部（例えば、孔状に構成される。）が設けられ、これらの装着部には、レールピン（金属製の固定部材の一具体例を示す。）が装着される。
【０００９】
このように、レールピンが各金属製レールに装着されると、レールピンの一部分が、金属製レールの「一側縁部」から突出する状態となり、「固定用突起」を構成する。そして、レールピンによって構成される「各固定用突起」を、対応関係にある固定穴に差し込むと（挿嵌すると）、各金属製レールは、レールピンを介して、遊技盤に固定された状態となる。尚、このような金属製レールの中には、固定用突起を一体的に設けたものもある。このタイプの金属製レールにおいても、固定用突起を、対応関係にある固定穴に差し込むことで（挿嵌することで）、各金属製レールは、レールピンを介して、遊技盤に固定された状態となる
【００１０】
この種の遊技機において、伝統的に、木製の遊技盤が用いられてきたが、近年、樹脂製の遊技盤を用いることも多くなっている（特許文献１を参照）。
【特許文献１】特開平１０−１１３４２８号公報
【発明の開示】
【発明が解決しようとする課題】
【００１１】
遊技盤を、木材（合板等）で構成する場合には、固定用突起及び固定穴のサイズを、「固定用突起を固定穴に嵌合固定する上で適当なサイズ」とすることで、「金属製レールの好適な装着状態」を得ることができる。例えば、固定用突起のサイズを、固定穴のサイズよりも若干、大き目（プラス目）に設定し、固定用突起を固定穴に対して圧入しつつ嵌合（挿嵌）することで、「金属製レールの好適な装着状態」を得ることができる。
【００１２】
しかし、遊技盤を、「木材（合板等）に比べて、硬く、弾性に乏しい樹脂で構成する場合」において、金属製レールを同様な手法で固定しようとすると、以下のような問題を生ずる。つまり、固定用突起を固定穴に対して圧入しようとすると、遊技盤にひび割れを生ずる可能性がある。この場合、「ひび割れの部分」が、遊技盤の表面部において、広範囲に広がり、目立つ状態（遊技者の目に付く状態）に露呈し、遊技盤、ひいては、遊技機の美観を大きく低下させる可能性がある。一方、これらの不具合を回避することを意図して、固定穴の大きさと、固定用突起との間にクリアランスを設けると（固定用突起のサイズを、固定穴のサイズよりも若干、小さ目、つまり、マイナス目にすると）、遊技盤に装着されたレール部材にガタツキを生ずる可能性がある。
【００１３】
尚、金属製レールの代わりに樹脂製レールを用い、その一側縁部から所定の間隔で突出する固定用突起（樹脂製）を、固定穴に対して挿入し、この固定用突起（樹脂製）の外周面と固定穴の内壁面との間の摩擦抵抗を用いつつ、この樹脂製レールを遊技盤に固定する手法も考えられる。ところが、この手法を採用する場合、弾性に乏しく、しかも、摩擦抵抗が大きな樹脂製レール（金属製レールに比べて）を用いることになるため、樹脂製レールを摺動したり、樹脂製レールに衝突する遊技球の挙動（以下、この挙動を、「球飛び」と称することがある。）が不安定となることがある。また、遊技球と樹脂製レールとの接触により、樹脂製レールから発生する屑が、遊技盤に付着する等の不具合を生ずることもある。更に、遊技機の製造に際し、「樹脂製の遊技盤」専用のレール（つまり、樹脂製レール）を準備することが必要なため、遊技機の製造コストが高くなるおそれがある。また、このような専用のレールにおいては、金属製レールとは異なる「専用の組み付け作業」が必要なため、この点からも、遊技機の製造コストが高くなるおそれがある。
【００１４】
本発明は、このような問題を解決するためになされたものであり、その目的とするところは、「樹脂製の表側板状部材（表層部を構成する板状部材）を有する遊技盤」を備えつつも、金属製レールを好適に取り付けることができる遊技機を提供することである。
【００１５】
本発明の他の目的は、「樹脂製の表側板状部材を有する遊技盤」を備える遊技機において、製造コストの低廉化を図ることである。
【課題を解決するための手段】
【００１６】
請求項１に記載の遊技機は、
表裏面を貫通する貫通孔が複数個所に設けられる樹脂製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
金属製の帯状体を用いて構成されると共に前記遊技盤の表面部に一方の側縁部を当接させつつ前記遊技盤の表面部から突出する状態に配置されるレール本体と、前記レール本体の複数箇所に各々装着されて前記レール本体の前記一方の側縁部から突出する固定用突起を構成する金属製のレール固定部材と、を有する、金属製のレール部材と、
を備え、
前記嵌合用突部には、前記固定用突起を挿嵌させつつ固定可能な固定穴が、前記嵌合用突部の突端部で開口する状態に設けられることを特徴とする。
【００１７】
請求項１の発明によると、遊技盤の表層部を構成する表側板状部材に対しては、直接、「レール固定部材」を嵌合しない。このため、レール本体（つまり、金属製レール）の固定手法として、「固定用突起を遊技盤に圧入する手法（以下、「圧入手法」と称する。）」を採用しても、遊技盤の表層部に、「目立ち易い、ひび割れ」を生ずることはない。つまり、レール固定部材を遊技盤に圧入することで、たとえ、遊技盤の表層部に「ひび割れ」を生じても、その割れが生ずる部分は、遊技盤の表層部においては、狭い部分（例えば、嵌合用突部の部分）に止まる。よって、レール本体の固定手法として、「圧入手法」を採用しても、遊技盤、ひいては、遊技機の美観を大きく低下させることはない。
【００１８】
また、請求項１の発明によると、レール本体（つまり、金属製レール）の固定手法として「圧入手法」を積極的に使用できるため、「レール本体の遊技盤に対する好適な固定状態（安定的な固定状態）」を得ることができる。つまり、レール固定部材において固定穴に嵌合される部位（即ち、固定用突起を構成する部位）のサイズを、固定穴のサイズよりも若干、大き目（プラス目）に設定し、この「部位」を固定穴に対して圧入しつつ嵌合（挿嵌）することで、「レール本体の遊技盤に対する好適な固定状態（安定的な固定状態）」を得ることができる。
【００１９】
また、請求項１の発明によると、表層部を樹脂で構成する遊技盤や、全体を樹脂で構成する遊技盤等においても、「金属製レール」の積極的な使用が可能であるため、以下のような効果を得ることもできる。つまり、通常の遊技機（木製の遊技盤を備える遊技機）において使用されている「金属製レール」を、請求項１の発明を構成する遊技盤に対しても適用できる。しかも、この「金属製レール」の装着方法として、通常の装着方法（木製の遊技盤に金属製レールを装着する際の装着方法）を、そのまま、適用できる。よって、請求項１の発明においては、「遊技盤を、表層部を樹脂で構成する積層体で構成すること」と、この「積層体に金属製レールを装着すること」が原因となり、遊技機の製造コスト高を招くことがない。しかも、「金属製レール」を好適に使用可能なため、前述の「樹脂製レールを用いる場合の不具合（球飛びの不安定化、遊技球との接触により遊技レールから発生する屑が透明板に付着する等）を生ずることもない。
【００２０】
各請求項の発明において、「嵌合用突部」の材質は種々選択でき、樹脂、ゴム、木材、金属等を例示できるが、ゴム、木材等、若しくは、エラストマー等の弾性に富んだ素材（つまり、表側板状部材を構成する樹脂よりも弾性に富んだ素材）で構成することが望ましい。蓋し、弾性に富んだ素材で構成すると、固定用突起を固定穴に圧入する際に、この固定用突起に不用意な変形（圧入する際の不用意な曲がり）等を生ずることを、より確実に防止できる。しかも、「嵌合用突部」がクッションとなりつつ、「レール本体（金属製レール）」の装着状態の安定化を図ることができるため、「金属製レール」のガタツキを、より確実に防止できる。
【００２１】
請求項１の発明の「レール固定部材」としては、「レール固定用のピン」、「レール固定用のビス」、「レール固定用の釘」等を例示できる。また、請求項１の発明においては、レール本体に「レール固定部材」を装着するための「装着部」を設けることができる。この「装着部」としては、「レール本体（金属製レール）」の「一方の側縁部側」に複数設けられる「装着孔」を例示することができる。
【００２２】
請求項２の発明の遊技機は、
表裏面を貫通する貫通孔が複数個所に設けられる樹脂製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
帯状体を用いて構成され、前記遊技盤の表面部に一方の側縁部を当接させつつ前記遊技盤の表面部から突出する状態に配置されるレール本体と、該レール本体の前記一方の側縁部の複数個所から突出する固定用突起と、を有する、金属製のレール部材と、を備え、
前記嵌合用突部には、前記固定用突起を挿嵌させつつ固定可能な固定穴が、前記嵌合用突部の突端部で開口する状態に設けられることを特徴とする。
【００２３】
請求項２の発明では、固定用突起を、レール本体に対して一体的に設けた点が、請求項１の発明と異なる。そして、請求項２の発明においても、請求項１の発明と同様な効果を得ることができる。
【００２４】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、中枠、表扉部材（前面枠）、上皿部材、下皿部材等の扉状部材の「左」、「右」、「前」、「後」等は、これらの扉状部材が使用状態にある場合、つまり、閉鎖された状態にある場合を基準としたものである。
【００２５】
各請求項の発明の「レール本体」としては、外側レールと、内側レールを例示できる。そして、これらのレール部材は、一方の側縁部を当接させ、しかも、略円弧状に湾曲されつつ、遊技盤の前方に突出する状態（遊技盤の表面部から突出する状態）に配置される。このうち、外側レールは、長尺な帯状板を用いて構成され、例えば、開口部を下方若しくは側方に向けた略円弧形状（Ｃの字状）とされつつ、遊技盤の前方に突出する状態に配置される。また、内側レールも、長尺な帯状板を用いて構成され、例えば、遊技盤の表面部において、外側レールの配置箇所の内側の位置する部位において、開口部を上方に向けた略円弧形状（Ｃの字状）とされつつ、遊技盤の前方に突出する状態に配置される。但し、各請求項の発明の「レール本体」としては、外側レール及び内側レール以外の「金属製レール」を備えてもよい。また、各請求項の発明においては、単一若しくは３個以上の「金属製レール」を用いて、遊技領域の外縁部を構成することもできる。
【００２６】
請求項３の発明の遊技機は、請求項１又は２に記載の遊技機
前記嵌合用突部は、前記裏側板状部材と一体で成形されていることを特徴とする。
【００２７】
請求項３の発明の遊技機では、嵌合用突部を裏側板状部材と一体で成形するため、遊技盤の構成の単純化を図ることができる。尚、請求項３の発明では、表側板状部材及び裏側板状部材を積層する際に、嵌合用突部を貫通孔に嵌合することで、表側板状部材及び裏側板状部材の位置合わせを行うこともできる。但し、請求項３の発明においては、表側板状部材及び裏側板状部材の位置合わせを行うための「専用の突部」を、表側板状部材及び裏側板状部材のうちの一方に設け、この「専用の突部（例えば、位置決め用のボス）」が挿入（嵌合等）される「凹部若しくは孔部」を、表側板状部材及び裏側板状部材のうちの他方に設けてもよい。
【００２８】
請求項４の発明の遊技機は、請求項３に記載の遊技機において、
前記裏側板状部材及び前記嵌合用突部が、前記表側板状部材よりも弾性の高い素材で構成されていることを特徴とする。
【００２９】
請求項４の発明によると、以下の効果を得ることができる。つまり、請求項４の発明では、裏側板状部材及び嵌合用突部を弾性に富んだ素材で構成するため、固定用突起を、固定穴に圧入する際に、固定用突起に不用意な変形（圧入する際の不用意な曲がり）等を生ずることを、より確実に防止できる。しかも、「嵌合用突部」が、クッションとなりつつ、「レール本体（金属製レール）」の装着状態の安定化を図ることができるため、「レール本体（金属製レール）」のガタツキを、より確実に防止できる。ここで、請求項４の発明において、裏側板状部材及び嵌合用突部の一体品の材質は種々選択でき、例えば、ゴム、木材等、若しくは、エラストマー等を例示できる。
【００３０】
請求項５の発明の遊技機は、請求項１又は２に記載の遊技機において、
前記裏側板状部材の表面部において前記貫通孔の裏側に位置する部位には、孔状若しくは凹部状の被装着部が各々開口し、
前記被装着部には、前記表側板状部材よりも弾性の高い素材で構成される弾性部材の一端部側が装着されると共に、
前記弾性部材において、前記裏側板状部材の表側に突出する他端部側によって前記嵌合用突部が構成されていることを特徴とする。
【００３１】
請求項５の発明においても、嵌合用突部を弾性に富んだ素材で構成するため、固定用突起を、固定穴に圧入する際に、固定用突起に不用意な変形（圧入する際の不用意な曲がり）等を生ずることを、より確実に防止できる。しかも、「嵌合用突部」が、クッションとなりつつ、「レール本体（金属製レール）」の装着状態の安定化を図ることができるため、「レール本体（金属製レール）」のガタツキを、より確実に防止できる。
【００３２】
しかも、請求項５の発明では、裏側板状部材及び嵌合用突部を別体とするため、以下のような効果を得ることができる。つまり、固定用突起の圧入作業の際に、嵌合用突部に破損等を生じさせた場合でも、弾性部材のみを交換すればよい。また、嵌合用突部が劣化し、弾性の低下を生じ、「レール本体（金属製レール）」に予定外のガタツキを生じた場合でも、弾性部材のみを交換すればよい。
【００３３】
ここで、請求項５の発明において、「弾性部材」の態様を種々選択できる。例えば、固定穴を構成するための中空部（孔部）を具備する筒形状の弾性部材を例示できる。また、請求項５の発明において、「弾性部材（嵌合用突部）」は、表側板状部材の表面部側から貫通孔に嵌合されてもよいし、表側板状部材の裏面部側から貫通孔に嵌合されてもよい。
【００３４】
このうち、「表側板状部材の裏面部側から貫通孔に嵌合される態様（以下、「後者の態様」という。）では、嵌合用突部及び貫通孔のうちの少なくと一方に「抜け止め手段」を設けることが望ましい。つまり、（ａ）嵌合用突部が、その外径を遊技盤の表面部側に向かって徐々に小さくするテーパ状（但し、嵌合用突部の略円柱状の外形を備える場合）とされる態様、（ｂ）貫通孔が、その内径を遊技盤の表面部側に向かって徐々に小さくするテーパ状（但し、貫通孔が略円柱状の孔形状を備える場合）とされる態様、（ｃ）嵌合用突部の一端部側に、「弾性部材が、貫通孔から遊技盤の表面部側に抜け出ることを防止するためのフランジ部」が設けられる態様、若しくは、（ａ）〜（ｃ）の態様を２つ以上組み合わせた態様、等を例示できる。
【００３５】
請求項６の発明の遊技機は、請求項１又は２に記載の遊技機において、
前記裏側板状部材が、第１の板状体の裏側に第２の板状体を配置した積層体として構成され、
前記第１の板状体において前記貫通孔の裏側に位置する部位には前記貫通孔と連通する連通孔が各々設けられ、
前記第２の板状体において前記連通孔の裏側に位置する部位には固定用突出部が各々設けられ、該固定用突出部の基端部側が対応する連通孔に挿通されると共に該固定用突出部において前記第１の板状体の表側に突出する突端部側によって前記嵌合用突部が構成されることを特徴とする。
【００３６】
請求項６の発明では、裏側板状部材を複数枚の板状体の積層体で構成する点を除いて、請求項１若しくは請求項２の発明と同様である。この請求項６の発明においては、第２の板状体の枚数は１枚であってもよいし、２枚以上であってもよい。また、固定用突出部は、第２の板状体（第２の板状体を２枚以上備える場合は、何れかの第２の板状体）と一体化されてもよいし、別体であってもよい。また、固定用突出部は、請求項４の発明と同様に、「表側板状部材よりも弾性の高い素材で構成されていること」が望ましい。
【００３７】
請求項７の発明は、請求項１又は２に記載の遊技機において、
前記裏側板状部材が、第１の板状体の裏側に第２の板状体を配置した積層体として構成され、
前記第１の板状体において前記貫通孔の裏側に位置する部位には前記貫通孔と連通する連通孔が各々設けられ、
前記連通孔には、前記表側板状部材よりも弾性の高い素材で構成される弾性部材が挿通されると共に
前記弾性部材において、前記第１の板状体の裏面部側に位置する一端部が前記第２の板状体の表面部に当接され、前記弾性部材において、前記第１の板状体の表側に突出する他端部側によって、前記嵌合用突部が構成されていることを特徴とする。
【００３８】
請求項７の発明も、裏側板状部材を複数枚の板状体の積層体で構成する点を除いて、請求項１若しくは請求項２の発明と同様である。また、請求項７の発明においても、第２の板状体の枚数は１枚であってもよいし、２枚以上であってもよい。
【００３９】
請求項７の発明の「弾性部材」の態様も種々選択でき、例えば、固定穴を構成するための中空部（孔部）を具備する筒形状の弾性部材を例示できる。また、請求項７の発明において、「弾性部材（嵌合用突部）」は、第１の板状体の表面部側から連通孔に挿通されてもよいし、第１の板状体の裏面部側から連通孔に挿通されてもよい。
【００４０】
このうち、「第１の板状体の裏面部側から連通孔に挿通される態様」では、弾性部材及び連通孔のうちの少なくと一方に「抜け止め手段」を設けることが望ましい。つまり、（１）弾性部材が、その外径を遊技盤の表面部側に向かって徐々に小さくするテーパ状（但し、弾性部材の略円柱状の外形を備える場合）とされる態様、（２）連通孔が、その内径を遊技盤の表面部側に向かって徐々に小さくするテーパ状（但し、連通孔が略円柱状の孔形状を備える場合）とされる態様、（３）弾性部材の一端部側に、「弾性部材が、貫通孔から遊技盤の表面部側に抜け出ることを防止するためのフランジ部」が設けられる態様、若しくは、（１）〜（３）の態様のうちの２つ以上を組み合わせた態様、等を例示できる。
【００４１】
尚、請求項６の発明及び請求項７の発明においては、第２の板状体を、複数個の板状体の積層体として構成することもできる。
【００４２】
請求項８の発明の遊技機は、請求項１〜７の何れか一項に記載の遊技機において、
前記表側板状部材が透明板を用いて構成されると共に、前記表側板状部材の裏側であって前記裏側板状部材の表側に位置する部位に、セル画が形成されていることを特徴とする。
【００４３】
請求項８の発明では、表側板状部材の構成を具体的に例示するものである。この請求項８の発明では、表側板状部材が透明板を用いて構成するが、表側板状部材の裏側にセル画を形成する。このため、レール固定部材（請求項１の発明）や固定用突起（請求項２の発明）を固定穴に圧入したときに、たとえ、裏側板状部材に割れを生じても、この割れをセル画によって隠蔽することができる。つまり、請求項８の発明によると、表側板状部材を透明板を用いて構成しつつ、裏側板状部材に割れを生じても、この割れをセル画によって隠蔽することができる。このため、請求項８の発明によると、表側板状部材の構成素材として、透明板を積極的に用いることができる。
【００４４】
請求項８の発明では、セル画の形成態様を種々選択できる。つまり、（Ａ）セル画を表側板状部材の裏面部に直接、形成する態様、（Ｂ）セル画を裏側板状部材の表面部に直接、形成する態様、（Ｃ）セル画を、表側板状部材と裏側板状部材との間に配置されるシート状物に対して形成する態様、等を例示できる。
【００４５】
尚、請求項６又は７の発明が、請求項８の発明に従う場合には、（Ｂ）の態様、若しくは、（Ｃ）の態様を採用すると、以下の効果を得ることができる。つまり、（Ｂ）前記表側板状部材が透明板を用いて構成されると共に、前記裏側板状部材が、第１の板状体の裏側に第２の板状体を配置した積層体として構成される場合に、セル画を第１の板状体の表面部に形成する態様、若しくは、（Ｃ）前記表側板状部材が透明板を用いて構成されると共に、前記裏側板状部材が、第１の板状体の裏側に第２の板状体を配置した積層体として構成される場合に、セル画を、表側板状部材と裏側板状部材との間に配置されるシート状物に対して形成する態様、を選択すると、以下の効果を得ることができる。
【００４６】
即ち、通常、遊技機においては、その機種が異なると、遊技盤が異なるが、（Ｂ）の態様によると、表側板状部材と第２の板状体とを、機種が異なる遊技機の共通部品として用いることができる。また、（Ｃ）の態様によると、表側板状部材と、第１の板状体と、第２の板状体とを、機種が異なる遊技機の共通部品として用いることができる。このため、何れの態様においても、遊技盤の構成部品の汎用性を高めることができる。
【００４７】
請求項９の発明の遊技機は、請求項１〜７の何れか一項に記載の遊技機において、
所定の画像を表示するための表示画面を有する画像表示装置を具備すると共に、
前記裏側板状部材が表裏を貫通する状態の貫通部を具備し、前記表側板状部材のうちの少なくとも前記貫通部の前方に位置する部位が透明部とされ、
前記表示画面を、前記貫通部によって前記遊技盤の前方から視認可能な状態とつつ、前記画像表示装置を前記裏側板状部材の後方に配置したことを特徴とする。
【００４８】
請求項９の発明も、表側板状部材の構成を具体的に例示するものである。この遊技機においては、例えば、「裏側板状部材の後方に画像表示装置（例えば、大型の表示画面を備える大型の画像表示装置）を配置すると共に、透明部を透かした状態で、この画像表示装置（例えば、大型の表示画面）を視認可能な遊技機」において、請求項１〜８の何れか一項に示す効果を得ることができる。
【００４９】
ここで、請求項９の発明では、表側板状部材において透明部とされる部位を種々選択できる。例えば、表側板状部材のうちで、貫通部の前方に位置する部位（貫通部の前方に位置合わせされる部位）のみが透明部とされてもよいし、貫通部の前方に位置する部位及びその周辺の部位（例えば、遊技領域の内側に位置する部位の全域）が、透明部とされてもよいし、表側板状部材の全域が、透明部とされてもよい。
【００５０】
ここで、各請求項の発明において、請求項８の発明の表側板状部材や、請求項９の発明の表側板状部材を構成する透明部の構成態様を種々選択できる。例えば、アクリル樹脂製の板、ポリカーボネート樹脂製の板等で構成する態様を例示でできる。
【００５１】
請求項９の発明においては、「画像表示装置を、裏側板状部材の裏面部に固着すること」を特徴としてもよい（以下、「関連発明１」という。）。
【００５２】
また、関連発明１の発明においては、「前記貫通部の横方向に沿った幅（Ｐ）と、前記遊技領域の横方向に沿った幅（Ｑ）の比（Ｐ／Ｑ）が、４／１０〜９／１０のうちの何れかとされ、
前記貫通部の縦方向に沿った幅（Ｒ）と、前記遊技領域の縦方向に沿った幅（Ｓ）の比（Ｒ／Ｓ）が、４／１０〜９／１０のうちの何れかとされる」ことを特徴としてもよい（以下、「関連発明２」という。）。
【００５３】
この関連発明２の遊技機によると、貫通部のサイズの好適化を図ることで、（１）「遊技盤の前方から貫通部を通じて視認される表示領域部（画像表示装置の表示画面）のサイズを大型すべき旨の要請」と、（２）「画像表示装置を、裏側板状部材の裏面部に安定的に固着すべき旨の要請」と、を同時に満足することができる。つまり、関連発明２では、貫通部のサイズの下限値を規制し、貫通部を大型化するため、「遊技盤の前方から貫通部を通じて視認される表示画面」のサイズの大型化を図り、遊技者の遊技上の興趣を高めることができる。同時に、貫通部のサイズの上限値を規制し、裏側板状部材の裏面部において貫通部の周辺に位置する部位に、十分なサイズの「被固着箇所（画像表示装置が固着される箇所）」を確保するため、画像表示装置を、裏側板状部材の裏面部に安定的に固着することができる。
【００５４】
次に、請求項１の発明を応用した発明（以下、「応用発明１」という。）について説明する。
【００５５】
応用発明１の遊技機は、
表裏面を貫通する貫通孔が複数個所に設けられると共にガラス製、金属製、若しくは、セラミックス製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
金属製の帯状体を用いて構成されると共に前記遊技盤の表面部に一方の側縁部を当接させつつ前記遊技盤の表面部から突出する状態に配置されるレール本体と、前記レール本体の複数箇所に各々装着されて前記レール本体の前記一方の側縁部から突出する固定用突起を構成する、金属製のレール固定部材と、を有する、金属製のレール部材と、
を備え、
前記嵌合用突部には、前記固定用突起を挿嵌させつつ固定可能な固定穴が、該嵌合用突部の突端部で開口する状態に設けられることを特徴とする。
【００５６】
応用発明１の遊技機は、表側板状部材の構成素材が異なる他は、請求項１の発明と同様であり、請求項１の発明と同様な効果が得られる。
【００５７】
また、請求項２の発明を応用した発明（以下、「応用発明２」という。）について説明する。
【００５８】
応用発明２の遊技機は、
表裏面を貫通する貫通孔が複数個所に設けられると共にガラス製、金属製、若しくは、セラミックス製の表側板状部材と、該表側板状部材の裏側に配置されると共に前記貫通孔の裏側に位置する部位に前記貫通孔に嵌合される嵌合用突部が各々形成された裏側板状部材と、を具備する遊技盤と、
帯状体を用いて構成され、前記遊技盤の表面部に一方の側縁部を当接させつつ前記遊技盤の表面部から突出する状態に配置されるレール本体と、該レール本体の前記一方の側縁部の複数個所から突出する固定用突起と、を有する、金属製のレール部材と、を備え、
前記嵌合用突部には、前記固定用突起を挿嵌させつつ固定可能な固定穴が、該嵌合用突部の突端部で開口する状態に設けられることを特徴とする。
【００５９】
応用発明２の発明の遊技機は、表側板状部材の構成素材が異なる他は、請求項２の発明と同様であり、請求項２の発明と同様な効果が得られる。
【００６０】
尚、応用発明１及び応用発明２においても、請求項３〜請求項９と同様な構成を備える引用発明を有していてもよい。つまり、請求項１の発明を、応用発明１と読み替えると共に、請求項２の発明を、応用発明２と読み替えつつ、請求項３〜請求項９の発明を、応用発明１、応用発明２の従属発明とすることもできる。
【発明の効果】
【００６１】
以上記述したように、各請求項の発明によると、「樹脂製の表側板状部材を有する遊技盤」を備えつつも、金属製のレール部材を好適に取り付けることができる遊技機が得られる。
【発明を実施するための最良の形態】
【００６２】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。
【００６３】
Ａ．実施例１
先ず、実施例１に係る遊技機１について説明する。
【００６４】
（１）機械的な構造
ａ．遊技機の前面側の全体構造
先ず、この遊技機１の全体構造について、図１〜図７を参照して説明する。この遊技機１は、図１及び図２に示すように、外枠２と、この外枠２に装着された遊技機本体Ｈと、を備えている。このうち、外枠２は、図３に示すように、パチンコホールの島設備Ｓに設けられた設置部位Ｓ１に固定されると共に、遊技機本体Ｈを支持するためのものである。
【００６５】
この外枠２は、略矩形状の枠状体によって構成される外枠本体２１（図１及び２を参照）と、外枠本体２１の前面下部を覆う前板部２２と、を備えている。このうち、外枠本体２１は、上下に一対の水平板２１ａと、左右に一対の立設板２１ｂと、を備えている（図１を参照）。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００６６】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、中枠３と、前面枠（ガラス扉枠）４と、上皿部材５と、下皿部材６と、遊技盤１０（図７を参照）と、裏機構盤１０２（図２１を参照）等を主要部としている。
【００６７】
中枠３は、ベース枠部材の具体例を構成するものであり、図３に示すように、外枠２の内側に嵌めこまれ、外枠２に対して開閉可能に軸支されている。尚、中枠３の右端側には、施錠装置７が装着されている。この施錠装置７は、中枠３を外枠２に施錠したり、前面枠４や上皿部材５を中枠３に施錠するために用いられる。
【００６８】
中枠３は、全体がプラスチック製であり、図４及び図５に示すように、枠状体によって構成されている。この中枠３は、上半部に窓部３Ａを備える枠本体部３ｂと、枠本体部３ｂの裏面部から略矩形枠状に突出する突出部３ｃとを備える。この突出部３ｃは、枠本体部３ｂの裏面部のうちで、枠本体部３ｂの周縁部よりも内側であって、窓部３Ａよりも外側の部位から突出している。そして、突出部３ｃの内側の壁面部３ｄと、枠本体部３ｂの裏面部のうちの窓部３Ａに周辺に位置すると共に壁面部３ｄよりも内側に位置する部位（以下、「窓部周辺部」という。）３ｅとが、略直交する状態とされる。
【００６９】
突出部３ｃの突端面であって、窓部３Ａの左方側の上下と、窓部３Ａの右方側の上下には、保持具３ｆが装着されている。この保持具３ｆは、突出部３ｃの突端面に軸心を略直交させた軸部材３ｇと、この軸部材３ｇによって支持された保持具本体３ｈとを備えている。この保持具本体３ｈは、軸部材３ｇの軸心回りに回転可能な状態とされ、その突端部３ｉ側を、窓部周辺部３ｅの後方に出没させることができる。つまり、保持具本体３ｈは、軸部材３ｇの軸心回りに回転することで、突端部３ｉ側を窓部周辺部３ｅの後方に配置させる保持状態（図４等を参照）と、突端部３ｉ側を窓部周辺部３ｅの後方から退避させる解除状態と、を実現することができる。また、突出部３ｃの壁面部３ｄにおいて、窓部３Ａの左右に位置する複数の箇所には、位置決め用段部３ｍが設けられている（図４を参照）。
【００７０】
本実施例では、突出部３ｃの内側の壁面部３ｄと、枠本体部３ｂの「窓部周辺部」３ｅとで、「遊技盤１０を保持するための保持部（３ｄ、３ｅ）」を構成し、保持具３ｆによって遊技盤１０（詳細は後述する。）の保持状態を維持している。つまり、図５（ｂ）及び（ｄ）に示すように、遊技盤１０（詳細は後述する。）は、前面部１０ａを前方に向けた状態（後面部１０ｂを後方に向けた状態）で、保持部（３ｄ、３ｅ）に装着される。尚、この装着作業の際、保持具本体３ｈは解除状態とされる。そして、この装着により、遊技盤１０の前面部１０ａにおける上縁側の部位が、窓部周辺部３ｅにおいて、窓部３Ａの上方に位置する部位に当接する。また、遊技盤１０の前面部１０ａにおける右側縁側の部位が、窓部周辺部３ｅにおいて、窓部３Ａの右側方（中枠３を前方から見た場合の右側方）に位置する部位に当接し、遊技盤１０の前面部１０ａにおける左側縁側の部位が、窓部周辺部３ｅにおいて、窓部３Ａの左側方（中枠３を前方から見た場合の左側方）に位置する部位に当接する。
【００７１】
この際、遊技盤１０の左右の側部に設けられた段部１０ｃが、位置決め用段部３ｍに嵌合し（図６を参照）、遊技盤１０が、保持部（３ｄ、３ｅ）に位置合わせされる。この保持具本体３ｈを保持状態とすると、この保持具本体３ｈによって、遊技盤１０の保持部（３ｄ、３ｅ）からの抜け止めが図られる｛図５（ｄ）を参照｝。これにより、遊技盤１０が、保持部（３ｄ、３ｅ）に保持される。そして、このように、中枠３が遊技盤１０を保持したとき、「遊技盤１０の前面部１０ａに構成される遊技領域１１」を、窓部３Ａによって、中枠３の前方から視認することができる（図７を参照）。また、遊技盤１０の背面部には、裏機構盤１０２（図２４参照）が装着され、この背面部を覆う状態とされている。尚、裏機構盤１０２の詳細に関しては後述する。
【００７２】
図７に示すように、中枠３の前面部３ａのうちで、窓部３Ａよりも下方側の部位（遊技盤１０よりも下方側の部位）には、遊技球を遊技盤１０に発射する発射装置（図示を省略）と、遊技球を発射ユニットに供給するための球送り装置（図示を省略）と、発射装置から発射された遊技球を外レール１４（後述する。）に向かって誘導する発射レールＹとが配設されている。尚、発射レールＹは、中枠３の下方側において、左方向に向かって上がり傾斜状に設けられている。
【００７３】
前面枠４は、ガラス扉枠の具体例を構成するものであり、図１に示すように、中枠３の前面側に配置され、中枠３の左端に開閉可能に支持されている。この前面枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００７４】
扉枠本体４１は、レンズ状のプラスチックを主体に構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図７参照）の形状に対応して、略円周状に開設されている。
【００７５】
図２に示すように、前面枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【００７６】
図１及び図２に示すように、前面枠４の上端部側の左右には、各々、スピーカーＳＰ１、ＳＰ２（図２６参照）が内蔵されている。また、本遊技機１においては、前板部２２の左右両端にも、スピーカーＳＰ３、ＳＰ４（図２６参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００７７】
遊技機本体Ｈの前面部のうちで、前面枠３の下方の部位が、上皿部材５と下皿部材６とを備える構成とされている。つまり、上皿部材５は、前面枠３の下方に配置され、下皿部材６は上皿部材５の下方に配置されている。また、上皿部材５は、遊技機１の内部の遊技球を、この上皿部材５に排出するための排出口５ｂ等を備えている。
【００７８】
尚、上皿部材５の裏側には、球貸表示基板４１０（図２５参照）及び演出ボタン基板２２８（図２６参照）が設けられ、上皿部材５の上面部には「球貸操作部５ｃ」と、操作スイッチＳＷとが配置されている。また、上皿部材５の外郭部分も、レンズ状のプラスチックを主体され、上皿部材５の内部にも、ＬＥＤ基板４ｉが内蔵されている（図２を参照）。
【００７９】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【００８０】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００８１】
ｂ．遊技盤１０の構成
次に、遊技盤１０の構成について図７〜図２３を用いて説明する。この遊技盤１０は、前述のように、中枠３（図４を参照）の保持部（３ｄ、３ｅ）に保持されるとともに、後述する裏機構盤１０２（図２４参照）によりその背面側が覆われている。また、遊技盤１０の前面部には、ともに帯状の金属板を用いて構成される外側レール１２と、内側レール１３とが配設されている。尚、外側レール１２及び内側レール１３の詳細に関しては後述する。
【００８２】
遊技盤１０の前面部（表面部）１０ａにおいて、この外側レール１２及び内側レール１３が形成する略楕円形の周壁によって構成される部位が、遊技領域１１を構成している。このため、本実施例では、遊技領域１１の外縁部の形状が略楕円形（長軸；４６２ｍｍ、短軸；４２４ｍｍ）とされるが、外縁部の形状は「略円形」等、の他の形状であってもよい。また、本実施例の外側レール１２は、「右側方に開口する略Ｕ字状の経路を描く、略帯状体」によって構成され、本実施例の内側レール１３は、「上方に開口する略Ｕ字状の経路を描く、略帯状体」によって構成されている。
【００８３】
遊技盤１０は、図８及び図９に示すように、表側板状部材５００と、裏側板状部材６００と、を着脱可能に積層して構成される積層板を用いて構成されている。また、表側板状部材５００及び裏側板状部材６００の平面形状（前方から視認した平面形状）は、何れも、遊技盤１０の平面形状（前方から視認した平面形状）と等しくされている。但し、本実施例では、表側板状部材５００の裏面部５００ｂに、装飾シート６２０が装着されている。
【００８４】
表側板状部材５００は、遊技盤１０の前面部１０ａの部位を構成する板状体であり、その表面部５００ａによって、遊技盤１０の前面部１０ａを構成する。また、この表側板状部材５００は、透明な樹脂板を用いて構成され、図９及び図１０に示すように、上端部側の左右と、下端部側の左右とに、位置決め孔５０１、５０１、５０１、５０１を貫通状（表面部５００ａ及び裏面部５００ｂを貫通する状態）に備えている。
【００８５】
ここで、表側板状部材５００を構成する「透明な樹脂板」としては、「アクリル板（アクリル樹脂からなる板状体）」や、「ポリカーボネート板（ポリカーボネート樹脂からなる板状体）」等を例示できる。尚、「アクリル樹脂からなる板状体」とは、「メタクリル酸エステル（特に、メタクリル酸メチル）」、及び／又は、「アクリル酸エステル」を主成分として含有する（樹脂成分全体の５０重量％〜１００重量％含有する）樹脂からなる板状体を指す。また、「アクリル板（アクリル樹脂からなる板状体）」を用いた場合、例えば、「９０〜９２％の光透過率（可視領域での光透過率）」を得ること（クリスタルガラスに匹敵する光透過率を得ること）も可能なため、より好適な表側板状部材５００を得ることができる。
【００８６】
図１０に示すように、表側板状部材５００の左右の端面には、複数の段部５０２が設けられている。また、表側板状部材５００の表面部５００ａには、外側レール１２（外側レール１２の一方の側縁部）が当接する部位（以下、「外側当接部位」という。）１２ｔと、内側レール１３（内側レール１３の一方の側縁部）が当接する部位（以下、「内側レール当接部位」という。）１３ｔとが、存在する。そして、外側当接部位１２ｔは、右側方に開口する略Ｕ字状の経路を描いており（図１０において破線で表示）、内側レール当接部位１３ｔは、上方に開口する略Ｕ字状の経路（図１０において破線で表示）を描いている。尚、後述する図１１においては、説明の便宜のため、外側当接部位１２ｔの後方に位置する部位を「破線Ｌ１」で示し、内側レール当接部位１３ｔの後方に位置する部位を「破線Ｌ２」で示している。
【００８７】
図１０に示すように、この表側板状部材５００の表面部５００ａのうちで、外側当接部位１２ｔ及び内側レール当接部位１３ｔとで取り囲んで構成される略楕円形の部位が、遊技領域１１を構成する部位（以下、「遊技領域構成部」という。）５１１である。そして、遊技領域構成部５１１には、始動入賞球通過孔５０３ａと、大入賞球通過孔５０３ｂと、４つの一般入賞球通過孔５０３ｃ、５０３ｅ、５０３ｇ、５０３ｈと、アウト球通過孔５０３ｋと、が貫通状（表面部５００ａ及び裏面部５００ｂを貫通する状態）に設けられている。
【００８８】
図１０に示すように、表側板状部材５００において、外側当接部位１２ｔに沿った複数箇所には、貫通孔Ｋ１１、Ｋ１２、Ｋ１３、Ｋ１４、Ｋ１５、Ｋ１６、Ｋ１７（直径；１５ｍｍ程度の開口形状を備える略円形の孔であって、図１０において、「黒丸を白丸で囲む、２重丸表示」を用いて図示）が、表面部５００ａ及び裏面部５００ｂを貫通する状態に設けられている。また、表側板状部材５００において、内側レール当接部位１３ｔに沿った複数箇所にも、貫通孔Ｋ２１、Ｋ２２、Ｋ２３、Ｋ２４、Ｋ２５、Ｋ２６、Ｋ２７、Ｋ２８（図１０において、「黒丸を白丸で囲む、２重丸表示」を用いて図示）が、表面部５００ａ及び裏面部５００ｂを貫通する状態に設けられている。
【００８９】
図１０に示すように、遊技領域構成部５１１の適所には、盤部品固定穴５０３ｎ（図１０において、「黒丸の表示」を用いて図示）が、表面部５００ａで開口する状態に設けられている。尚、遊技領域構成部５１１には、障害釘（ビス状であっても、雄ネジ状であってもよい。）を、遊技領域構成部５１１に打ち込む際に使用される案内穴（下穴）が表面部５００ａで開口する状態に設けられているが、図８及び図９等においては、図示を省略する。
【００９０】
図１０に示すように、遊技領域構成部５１１の上下方向中間部の左右には、ワープ進入孔５０３Ｒ、５０３Ｓが、貫通状（表面部５００ａから裏面部５００ｂに下り傾斜状に貫通する状態）に設けられている（図８においては図示を省略）。また、遊技領域構成部５１１において、各ワープ進入孔５０３Ｒ、５０３Ｓの直下の部位には、ワープ排出孔５０３Ｔ、５０３Ｕが、貫通状（裏面部５００ｂが表面部５００ａに下り傾斜に貫通する状態）に設けられている。
【００９１】
裏側板状部材６００は、図８及び図１１に示すように、遊技盤１０の後面部側の部位を構成する板状体であり、表側板状部材５００と略同一の平面形状を備えている。また、図１１に示すように、裏側板状部材６００の左右の端面にも、複数の段部６０２が設けられている。尚、裏側板状部材６００は剛性の高い、不透明な樹脂板（例えば、ＡＢＳ製の板等）を用いて構成されている。そして、本実施例では、裏側板状部材６００の基材部を、剛性が高く、熱膨張率の低い素材で構成するため、裏側板状部材６００及び表側板状部材５００は、剛性が高く、しかも、熱膨張率が低くされている。
【００９２】
図９及び図１１に示すように、この裏側板状部材６００の表面部６００ａにおいて、各位置決め孔５０１、５０１、５０１、５０１と前後に位置合わせされる部位からは、位置決め突起６０１、６０１、６０１、６０１が前方に向かって突出している（図１１では、ハッチングを用いて表示）。そして、表側板状部材５００と裏側板状部材６００とを積層すると、各位置決め突起６０１、６０１、６０１、６０１は、対応する位置決め孔５０１、５０１、５０１、５０１に嵌合される。このとき、各位置決め突起６０１の突端部は、表側板状部材５００の表面部５００ａと略面一となる。
【００９３】
図１１に示すように、裏側板状部材６００のうちで、遊技領域構成部５１１の後方に配置される部位（以下、「遊技領域後方部」という。）６０５Ｂには、始動入賞球通過孔６０３ａと、大入賞球通過孔６０３ｂと、４つの一般入賞球通過孔６０３ｃ、６０３ｅ、６０３ｇ、６０３ｈと、アウト球通過孔６０３ｋと、が貫通状（表面部６００ａ及び裏面部６００ｂを貫通する状態）に設けられている。
【００９４】
図１７に示すように、裏側板状部材６００の裏面部６００ｂにおいて、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）が開口する部位には、遊技球案内用のリブ６０３ｒが突出している。尚、図示を省略するが、裏側板状部材６００の裏面部６００ｂには、遊技球集合部材が装着されている。そして、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を通じて、裏側板状部材６００の後方（遊技盤１０の後方）に到達する遊技球が、遊技球集合部材の端末部（遊技球の通過方向に沿った端末部）に導かれる。
【００９５】
図１１等に示すように、裏側板状部材６００の略中央部には、略矩形状の貫通部６１１が、貫通状に（裏側板状部材６００の表面部６００ａと、裏面部６００ｂとを貫通する状態に）設けられている（図２０及び図２１を参照）。ここで、図１１に示すように、本実施例において、この貫通部６１１のサイズが以下のように定められている。つまり、貫通部６１１の横方向に沿った幅（Ｐ）は、約３３７．５ｍｍとされ、貫通部６１１の縦方向に沿った幅（Ｒ）は、約２７２．３ｍｍとされている。一方、本遊技機１を構成する遊技盤１０の遊技領域１１の縦方向に沿った幅の最大寸法（Ｓ）は約４６２ｍｍとされ、遊技領域１１の横方向に沿った幅の最大寸法（Ｑ）は約４２４ｍｍとされている。
【００９６】
このため、比（Ｐ／Ｑ）は約０．８０とされ、比（Ｒ／Ｓ）は約０．５９とされている。換言すると、貫通部６１１の開口面積は、遊技領域１１の全面積の約６０％とされている。このように、この裏側板状部材６００には大型の貫通部６１１を設けられているが、裏側板状部材６００の裏面部６００ｂの面積（貫通部６１１を除く、後方側の部位）が、十分に確保されている。尚、後述する中央表示装置２７（画像表示装置である。）が固着される被固着部位は、この後面部６００ｂから選択される。また、裏側板状部材６００には、各通過孔（始動入賞球通過孔６０３ａ、大入賞球通過孔６０３ｂ、各一般入賞球通過孔６０３ｃ、６０３ｅ、６０３ｇ、６０３ｈ、アウト球通過孔６０３ｋ）を構成するための貫通孔（表面部６００ａ及び裏面部６００ｂを貫通する状態の貫通孔）が設けられている。
【００９７】
図１１に示すように、裏側板状部材６００の表面部６００ａにおいて、各貫通孔（Ｋ１１〜Ｋ１７、Ｋ２１〜Ｋ２８）と前後に位置合わせされる部位からは、各々、嵌合用突部６００Ｋが突出している（前方に向かって突出している。）。そして、各嵌合用突部６００Ｋには、固定穴６０１Ｋが設けられている。この固定穴（直径；２ｍｍ程度の略円形の開口形状を備える略円形の穴）６０１Ｋは、各嵌合用突部６００Ｋの突端部において開口している。そして、表側板状部材５００と裏側板状部材６００とを積層すると、各嵌合用突部６００Ｋは、対応する貫通孔（Ｋ１１〜Ｋ１７、Ｋ２１〜Ｋ２８）に嵌合される。このとき、各嵌合用突部６００Ｋの突端部は、表側板状部材５００の表面部５００ａと略面一となり、各固定穴６０１Ｋは、表側板状部材５００の表面部５００ａ（遊技盤１０の表側）において開放された状態となる。尚、この裏側板状部材６００においては、「盤部品（後述する始動入賞装置１７、下部装置３０、左下表示装置５０、右下表示装置６０、一般入賞装置４０、４１、４３、４４等）の後方の部位を除く略全域」が、表側板状部材５００の前方から視認可能な「可視部位」とされている。
【００９８】
図１３等に示すように、表側板状部材５００の裏面部５００ｂに装飾シート６２０は貼着され、表側板状部材５００及び裏側板状部材６００が、この装飾シート６２０を挟み込んだ状態となっている。つまり、表側板状部材５００の裏面部５００ｂのうちで、「各位置決め孔５０１の形成箇所」と、「始動入賞球通過孔５０３ａの形成箇所」と、「大入賞球通過孔５０３ｂの形成箇所」と、「各一般入賞球通過孔５０３ｃ、５０３ｅ、５０３ｇ、５０３ｈの形成箇所」と、「アウト球通過孔５０３ｋの形成箇所」と、「各貫通孔Ｋ１１〜Ｋ１７、Ｋ２１〜Ｋ２８の形成箇所」と、「貫通部６１１の前方（表面側）に位置する箇所」と、を除く部位に装飾シート６２０は貼着されている。
【００９９】
この装飾シート６２０は、樹脂製のシート基材に、図柄（所謂、セル画であって、例えば、「太陽の図形と、月の図形とを用いたセル画」）を印刷して構成されるものである。尚、本実施例では、装飾シート６２０が、遊技盤１０の表面部１０ａに配置されず、この装飾シート６２０上を遊技球が転動しないため、装飾シート６２０に経時的な劣化を生じないか、この経時的な劣化の度合いが少なくなる。また、本実施例と異なり、装飾シート６２０を裏側板状部材６００の表面部６００ａに貼着してもよいし、表側板状部材５００の裏面部５００ａや裏側板状部材６００の表面部６００ａに直接、図柄（セル画）を形成（印刷等）してもよい。更に、本実施例と異なり、遊技盤１０の表面部１０ａに装飾シート６２０を貼着したり、この表面部１０ａに直接、図柄（セル画）を形成（印刷等）してもよい。
【０１００】
遊技盤１０の構成部材（表側板状部材５００、裏側板状部材６００、装飾シート６２０）は以下のように組み付けられる。先ず、図１４（ａ）に示すように、表側板状部材５００の裏面部５００ｂに装飾シート６２０を貼着する。次いで、図１４（ｂ）に示すように、表側板状部材５００と、裏側板状部材６００とを、装飾シート６２０を介在させた状態で積層すると、遊技盤１０が完成する。
【０１０１】
この積層に際しては、各位置決め孔５０１、５０１、５０１、５０１に、対応する位置決め突起６０１、６０１、６０１、６０１を嵌合させる。また、この積層により、表側板状部材５００の各通過孔（始動入賞球通過孔５０３ａ、大入賞球通過孔５０３ｂ、一般入賞球通過孔５０３ｃ、５０３ｅ、５０３ｇ、５０３ｈ、アウト球通過孔５０３ｋ）と、裏側板状部材６００の対応する各通過孔（始動入賞球通過孔６０３ａ、大入賞球通過孔６０３ｂ、一般入賞球通過孔６０３ｃ、６０３ｅ、６０３ｇ、６０３ｈ、アウト球通過孔６０３ｋ）と、が前後に位置合わせされ、前後に連通する。同時に、各嵌合用突部６００Ｋを、対応する貫通孔（Ｋ１１〜Ｋ１７、Ｋ２１〜Ｋ２８）に嵌合する（図１４等を参照）。
【０１０２】
また、表側板状部材５００の各段部５０２も、裏側板状部材６００の対応する段部６１２と位置合わせされ、遊技盤１０の段部１０ｃが完成する。また、左側のワープ進入孔５０３Ｒの出口部５０３１Ｒは、貫通部６１１の左端側上方部において後方に開口し、左側のワープ排出孔５０３Ｔの入口部５０３１Ｔは、貫通部６１１の左端側上方部において後方に開口する（図２１を参照）。また、右側のワープ進入孔５０３Ｓの出口部５０３１Ｓは、貫通部６１１の右端側上方部において後方に開口し、右側のワープ排出孔５０３Ｕの入口部５０３１Ｕは、貫通部６１１の右端側下方部において後方に開口する（図２０を参照）。
【０１０３】
図１３及び図１５に示すように、この遊技盤１０に対して、前述の外側レール１２と内側レール１３が、レール固定用のピン８００を用いて固定されている。ここで、外側レール１２及び内側レール１３は、「レール本体」の具体例を構成する。また、レール固定用のピン（以下、「レールピン」という。）８００は、「レール固定部材」の具体例を構成する。
【０１０４】
図７に示すように、外側レール１２は、金属製で、長尺な帯状体を用いて構成されている。そして、軸線が、右側方に開口する略Ｕ字状の経路を描くように、湾曲されつつ、遊技盤１０の前面部１０ａに固定されている。つまり、図１３及び図１５に示すように、この外側レール１２は、その一方の側縁部１２ａを、表側板状部材５００の外側当接部位１２ｔに当接させつつ、遊技盤１０の前方に突出する状態に（外側レール１２の他方の側縁部１２ｂを突端部に配置しつつ突出する状態に）配置されている。
【０１０５】
図１３、図１５及び図１６に示すように、この外側レール１２の「一方の側縁部１２ａ」側の部位には、複数個の装着部１２ｃが設けられている。この装着部１２ｃは、外側レール１２を肉厚方向に貫通する孔状に設けられている。また、各装着部１２ｃは、遊技盤１０の前面部１０ａにおいて、「外側当接部位１２ｔに沿って開口する固定穴６０１Ｋ」と位置合わせ可能な部位に設けられている。
【０１０６】
図７に示すように、内側レール１３も、金属製で、長尺な帯状体を用いて構成されている。そして、軸線が、上方に開口する略Ｕ字状の経路を描くように、湾曲されつつ、遊技盤１０の前面部１０ａに固定されている。つまり、図１３及び図１５に示すように、この内側レール１３は、その一方の側縁部１３ａを、表側板状部材５００の内側レール当接部位１３ｔに当接させつつ、遊技盤１０の前方に突出する状態に（内側レール１３の他方の側縁部１３ｂを突端部に配置しつつ突出する状態に）配置されている。
【０１０７】
図１３、図１５及び図１６に示すように、この内側レール１３の「一方の側縁部１３ａ」側の部位にも、複数個の装着部１３ｃが設けられている。この装着部１３ｃは、内側レール１３を肉厚方向に貫通する孔状に設けられている。また、各装着部１３ｃは、遊技盤１０の前面部１０ａにおいて、「内側レール当接部位１３ｔに沿って開口する固定穴６０１Ｋ」と位置合わせ可能な部位に設けられている。
【０１０８】
レールピン８００は、図１５及び図１６（ｂ）に示すように、「金属製（例えば、ステンレス製）の線材」を用いて構成される「棒状部材」を用いて構成されている。このレールピン８００は、軸心方向に沿った略中間部を中心に折り曲げられ、略釘形状（若しくは、ヘアーピン形状）とされて使用される。
【０１０９】
このレールピン８００を、その一端部の側から、外側レール１２の各装着部１２ｃに挿通した後、軸心方向に沿った略中間部を中心に折り曲げ、略釘形状とする。これにより、レールピン８００を、「外側レール１２の各装着部１２ｃ」に装着する作業を完了する。このとき、図１３及び図１５に示すように、このレールピン８００において、「外側レール１２の一方の側縁部１２ａ」から突出する部分によって、固定用突起８１０が構成される。
【０１１０】
即ち、外側レール１２の一方の側縁部１２ａからは、複数個の固定用突起８１０が、所定の間隔をおいて（外側当接部位１２ｔに沿って開口する固定穴６０１Ｋの配置間隔と等間隔で）突出する状態となる。そして、この各固定用突起８１０を、「外側当接部位１２ｔに沿って開口する固定穴６０１Ｋ」のうちで対応するものに対して、圧入状態で挿嵌すると共に、外側レール１２の一方の側縁部１２ａを、外側当接部位１２ｔに当接させると、外側レール１２の遊技盤１０への固定を完了する。
【０１１１】
同様に、このレールピン８００を、その一端部の側から、内側レール１３の各装着部１３ｃに挿通した後、軸心方向に沿った略中間部を中心に折り曲げ、略釘形状とする。これにより、レールピン８００を、「内側レール１２の各装着部１３ｃ」に装着する作業を完了する。このとき、図１３及び図１５に示すように、このレールピン８００において、「内側レール１３の一方の側縁部１３ａ」から突出する部分によって、固定用突起８２０が構成される。
【０１１２】
即ち、内側レール１３の一方の側縁部１３ａからも、複数個の固定用突起８２０が、所定の間隔をおいて（内側当接部位１３ｔに沿って開口する固定穴６０１Ｋの配置間隔と等間隔で）突出する状態となる。そして、この各固定用突起８２０を、「内側当接部位１３ｔに沿って開口する固定穴６０１Ｋ」のうちで対応するものに対して、圧入状態で挿嵌すると共に、内側レール１３の一方の側縁部１３ａを、内側当接部位１３ｔに当接させると、内側レール１３の遊技盤１０への固定を完了する。
【０１１３】
図７に示すように、以上の遊技盤１０の前面部１０ａにおいて遊技領域１１内に位置する部位には、流下経路変更部材２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車（図示を省略）等が配設されている。また、図８に示すように、遊技盤１０に裏面部１０ｂ（裏側板状部材６００の裏面部６００ｂ）には、中央表示装置２７が固着されている。更に、遊技盤１０を前後に縦断する状態で、ワープ部材７０、７０が配設されている。
【０１１４】
流下経路変更部材２０は、透明な樹脂を用いて構成されると共に、貫通部６１１の外縁部の前方で、しかも、この外縁部よりも内側の部位に装着されている。この流下経路変更部材２０は、図１８に示すように、遊技盤１０の前面部１０ａから前方に突出する壁部２１（遊技球の流下経路を変更するための壁部）を形成するための部材である。この流下経路変更部材２０は、樹脂を用いて構成されると共に枠形状を備えている。また、この流下経路変更部材２０は、図１８及び図１９に示すように、前面部１０ａから前方に突出する状態に配置される壁部２１と、壁部２１の基端部から突出し、前面部１０ａに沿った方向に配置される取付代２２とを備えている。そして、この取付代２２を、対応する盤部品固定穴５０３ｎを利用しつつ、遊技盤１０の前面部１０ａにネジ止めすることで、この流下経路変更部材２０は、遊技盤１０に装着されている。
【０１１５】
壁部２１は、上部を位置する庇部２１ａと、左右に位置する側壁部２１ｂ、２１ｃと、下部に位置するステージ部２１ｄとを備えている。このうち、庇部２１ａは、その上面部が、左右方向中間部から左右両端に下る「下り傾斜面」を形成している。このため、庇部２１ａの上面部に到達した遊技球は、この上面部に沿って、庇部２１ａの左右一方の端部側に転動するものとされている。
【０１１６】
ステージ部２１ｄの突端部からは、「落下防止壁２１ｅ」が上方に向かって延設されている。また、このステージ部２１ｄは、その上面部によって、遊技球の転動面を構成する。この転動面は、「左右の端部から中央部に向かって下る傾斜面」として構成されている。そして、落下防止壁２１ｅの左右方向に沿った中央部には、ステージ部２１ｄの上面部（転動面）上の遊技球を、ステージ部２１ｄの外部に排出するための排出通路２１ｆが設けられている。尚、本実施例では、ステージ部２１ｄの上面部（転動面）に進入した遊技球は、上面部（転動面）上を左右に転動する。そして、遊技球の勢いを衰えたところで、この遊技球は、排出通路２１ｆを通過してステージ部２１ｄ外に排出されるか、或いは、「ステージ部２１ｄの上面部（転動面）において、落下防止壁２１ｅが低くされた部位」から、ステージ部２１ｄ外に排出される。尚、排出通路２１ｆの出口部の直下に、後述する始動入賞装置１７が位置している。
【０１１７】
左側の側壁部２１ｂは、左方向に入口部を開口させ、右方向に出口部を開口させたワープ孔２１ｈを備えている。そして、図２１に示すように、このワープ孔２１ｈの出口部は、略管状のワープ連絡部材２１ｉ（透明な樹脂を用いて構成される。）を用いて、左側のワープ進入孔５０３Ｒに連絡されている（図２１を参照）。更に、この左側のワープ進入孔５０３Ｒの出口部５０３１Ｒは、左側のワープ部材７０（透明な樹脂を用いて構成される。）を用いて、左側のワープ排出孔５０３Ｔの入口部５０３１Ｔに連絡されている。更に、この「左側のワープ排出孔５０３Ｔの出口部」は、ステージ部２１ｄの上面部（転動面）の左端側に連絡されている。この左側のワープ部材７０は略管状に構成され、その中間部が、貫通部６１１内に進入している。
【０１１８】
つまり、遊技盤１０には、左側のワープ進入孔５０３Ｒと、左側のワープ連絡部材２１ｉと、左側のワープ部材７０と、左側のワープ排出孔５０３Ｔとを用いて構成される「ワープ通路（「遊技領域１１に存在する遊技球を、一端、遊技領域１１の後方に搬送し、再び、遊技領域１１に戻す通路」の意味で用いる。）」の中間部が、貫通部６１１内に進入すると共に、表示画面２７ａに近接する位置を通過している。即ち、左側の側壁部２１ｂの左側方に到達し、しかも、ワープ孔２１ｈに進入した遊技球は、左側のワープ連絡部材２１ｉを通過した後、左側のワープ進入孔５０３Ｒ、左側のワープ部材７０、左側のワープ排出孔５０３Ｔの順に通過する。この後、左側のワープ排出孔５０３Ｔの出口部からステージ部２１ｄの上面部（転動面）の左端側に到達する。更に、この左側のワープ通路（５０３Ｒ、２１ｉ、７０、５０３Ｔ）の内部が視認可能とされ（流下経路変更部材２０、ワープ連絡部材２１ｉ、ワープ部材７０が透明であるから）、遊技者は、このワープ通路（５０３Ｒ、２１ｉ、７０、５０３Ｔ）の内部を通過する遊技球を視認可能である。加えて、左側のワープ部材７０を通過する際に、遊技球は、貫通部６１１内を通過する。このため、本実施例では、「遊技球が、本遊技機１のうちで遊技者が特に注視する部位（表示画面２７ａ）の近傍を通過すること」を、左側のワープ部材７０を透かして視認することが可能である。
【０１１９】
右側の側壁部２１ｃは、右方向に入口部を開口させ、左方向に出口部を開口させたワープ孔２１ｐを備えている。そして、図２０に示すように、このワープ孔２１ｐの出口部は、略管状のワープ連絡部材２１ｋ（透明な樹脂を用いて構成される。）を用いて、右側のワープ排出孔５０３Ｓに連絡されている。更に、この右側のワープ進入孔５０３Ｓの出口部５０３１Ｓは、右側のワープ部材７０（透明な樹脂を用いて構成される。）を用いて、右側のワープ排出孔５０３Ｕの入口部５０３１Ｕに連絡されている。更に、この「右側のワープ排出孔５０３Ｕの出口部」は、ステージ部２１ｄの上面部（転動面）の右端側に連絡されている。この右側のワープ部材７０も、略管状に構成され、その中間部が、貫通部６１１内に進入している。
【０１２０】
つまり、遊技盤１０には、右側のワープ進入孔５０３Ｓと、右のワープ連絡部材２１ｋと、右側のワープ部材７０と、右側のワープ排出孔５０３Ｕとを用いて構成される「ワープ通路」の中間部が、貫通部６１１内に進入すると共に、表示画面２７ａに近接する位置を通過している。即ち、右側の側壁部２１ｃの右側方に到達し、しかも、この側壁部２１ｃのワープ孔２１ｐに進入した遊技球は、右側のワープ連絡部材２１ｋ、右側のワープ進入孔５０３Ｓ、右側のワープ部材７０、右側のワープ排出孔５０３Ｕの順に通過する。この後、右側のワープ排出孔５０３Ｕの出口部からステージ部２１ｄの上面部（転動面）の右端側に到達する。更に、この右側のワープ通路（５０３Ｓ、２１ｋ、７０、５０３Ｕ）の内部も、視認可能とされ（流下経路変更部材２０、ワープ連絡部材２１ｋ、ワープ部材７０が透明であるから）、遊技者は、このワープ通路（５０３Ｓ、２１ｋ、７０、５０３Ｕ）の内部を通過する遊技球を視認可能である。加えて、右側のワープ部材７０を通過する際にも、遊技球は、貫通部６１１内を通過する。このため、本実施例では、「遊技球が、本遊技機１のうちで遊技者が特に注視する部位（表示画面２７ａ）の近傍を通過すること」を、右側のワープ部材７０を透かして視認することも可能である。
【０１２１】
中央表示装置２７は、「画像表示装置」の具体例を構成すると共に液晶表示装置を用いて構成されている。この中央表示装置２７の前面部には、図２０〜図２２に示すように、表示画面２７ａと、この表示画面２７ａを枠状に包囲する表示枠部２７ｇとが設けられている。ここで、表示画面２７ａは、表示領域部の具体例を構成する。そして、この中央表示装置２７は、表示枠部２７ｇの前面部を裏側板状部材６００の裏面部６００ｂのうちで、貫通部６１１を包囲する部位に当接させつつ、この裏面部６００ｂに固着されている。尚、本実施例の中央表示装置２７（液晶表示装置）は、「前面部側に表示画面２７ａを備える液晶パネル」を含む構成とされば足り、当該「液晶パネル」以外の部材（駆動回路等）を一体的に備えるか否かを特に問わない。
【０１２２】
つまり、この「画像表示装置」の具体例を構成する液晶表示装置は、「表示用の本体部（液晶パネルを含む部分）を主体とする装置（駆動回路等を含まない装置）」として構成されてもよいし、表示用の本体部（液晶パネルを含む部分）と、他の部材（駆動回路等）とを含む装置として構成されてもよい。換言すると、少なくとも、「表示用の本体部（液晶パネルを含む部分）」を含む装置であればよい。この場合、例えば、この液晶パネルを、表示領域部（表示画面２７ａを構成する部位）と、この表示領域部を枠状に包囲する表示枠部と、を備える構成とする。そして、この液晶パネルの前面部（表示枠部の前面部）を、裏側板状部材６００の裏面部６００ｂのうちで貫通部６１１を包囲する部位に当接させつつ、この液晶パネルを裏側板状部材６００の裏面部６００ｂに固着してもよい。
【０１２３】
本実施例では、図２２に示すように、この中央表示装置２７の固着のために、略Ｌ字のステー２７ｈと、取付用のビス２７ｉとを用いている。そして、このように、中央表示装置２７の固着すると、表示画面２７ａの外縁部と、貫通部６１１の内縁部とが、前後に位置合わせされる。このため、遊技盤１０の前方の遊技者は、表側板状部材５００を透かして、表示画面２７ａの全域を視認することができる（図７等を参照）。但し、本実施例では、表示画面２７ａのサイズを「１７インチ」としている。尚、各請求項の発明では、表示画面２７ａのサイズは特に問わないが、「１０インチ」〜「２０インチ」の間で選択することが好ましく、「１５インチ」〜「１７インチ」の間で選択することが特に好ましい。
【０１２４】
この中央表示装置２７は、後述する右下表示装置６０と同様に、当否判定の結果（後述する。）を示す図柄（以下、「判定結果図柄」という。）を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、本実施例と異なり、単一の図柄表示装置によって、本図柄の表示と、疑似図柄の表示とを行ってもよい。また、各請求項の発明の遊技機１は、本図柄の表示のみを行い、疑似図柄の表示を行わないものであってもよい。
【０１２５】
中央表示装置２７の表示画面は可変状態に用いられ、その全体、若しくは、一部を用いて種々の図柄を表示可能である。また、普通図柄作動ゲート（普通図柄作動口）１６は、図７に示すように、遊技領域１１において、流下経路変更部材２０の両脇に位置する部位に配設されている。また、この普通図柄作動ゲート（普通図柄作動口）１６内には普通図柄作動ゲート通過検出スイッチ１６ｓ（図２５参照）が配設されている。そして、普通図柄作動ゲート通過検出スイッチ１６ｓを遊技球が通過することを前提に、「普通図柄の変動開始条件（つまり、普通図柄変動開始条件）」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【０１２６】
始動入賞装置１７は、前後に連通する２つの始動入賞球通過孔５０３ａ、６０３ａの前方に位置する部位に配設されている。そして、図７に示すように、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路２４ｃの出口部２４ｅの直下に位置するため、排出通路２４ｃを通過した遊技球は、この第１の始動口を通じて、始動入賞装置１７に入賞する確率が高くされている。
【０１２７】
第２の始動入賞部１７ｂは、第１の始動入賞部１７ａの直下に位置すると共に、入口側部分に、普通電動役物１７ｄが配置されている。この普通電動役物１７ｅは、いわゆるチューリップ式で左右に一対の翼片部が開閉するべく形成されている。つまり、第２の始動入賞部１７ｂは、この一対の翼片部を作動させるための普通電動役物ソレノイド１７ｃ（図２５参照）を備えている。そして、この一対の翼片部が左右に開くと、遊技球の入球可能性が大きくなる開放状態となり、一対の翼片部が立設され、遊技球の入球可能性が小さくなる通常状態となる。
【０１２８】
始動入賞装置１７の内部には、第１の始動入賞部１７ａ、若しくは、第２の始動入賞部１７ｂを遊技球の通過を検出する始動入賞検出スイッチ１７ｓ（図２５参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１２９】
図７に示すように、下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、前後に連通する２つの大入賞球通過孔５０３ｂ、６０３ｂと連通している。尚、この２つの大入賞球通過孔５０３ｂ、６０３ｂによって、「大入賞口３１ａから入賞する遊技球を通過させるための大入賞口入賞通路（図示を省略）」が構成される。
【０１３０】
そして、可変入賞装置（大入賞装置）３１は、この大入賞口３１ａを開放・閉鎖するための開閉板３１ｂと、この開閉板３１ｂを駆動するための大入賞口ソレノイド３１ｃ（図２５参照）と、大入賞口入賞通路の経路途中若しくは経路端末部に設けられた入賞球検出スイッチ３１ｓ（図２５参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１３１】
左下表示装置５０は、図７に示すように、可変入賞装置（大入賞装置）３１の左側方に配置されている。この左下表示装置５０は、図２３（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１３２】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【０１３３】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【０１３４】
尚、本実施例では、「遊技球が、普通図柄作動ゲート（普通図柄作動口）１６を通過すること条件に、主制御部２００Ａによって実行される判断、つまり、普通電動役物１７ｅを開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１を開放を許容するか否かの判断（遊技機の遊技状態を、可変入賞装置３１を閉鎖状態に維持する通常遊技状態から、可変入賞装置３１の開閉を行う特別遊技状態にすべきか否かの判断）を、「当否判定」と称する。
【０１３５】
遊技状態表示部５５は、２個のＬＥＤ５５ａ、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、一方のＬＥＤ５５ａを点灯させ、他方のＬＥＤ５５ｂを消灯させて、「遊技機１の現在の遊技状態が確変遊技状態である」旨が表示される。更に、一方のＬＥＤ５５ａを消灯させ、他方のＬＥＤ５５ｂを点灯させて、「遊技機１の現在の遊技状態が確変遊技状態である」旨が表示される。
【０１３６】
ここで、本実施例では、遊技機１の遊技モードが、通常遊技モードから確変モードになると、確変手段（特別図柄の当否判定において、大当り判定がなされる確率を高く設定することを内容とする手段）と、開放延長手段（普通電動役物１７ｅの開放時間を長くしたり、開放回数が多く設定することを内容とする手段）とが作動する。そして、遊技機１の遊技モードが、確変モードから時短モードになると、確変手段は作動を停止し、時短手段（特別図柄や普通図柄の変動時間を短く設定することを内容とする手段）が作動を開始する。更に、遊技機１の遊技モードが、確変モードから通常遊技モードに戻されると、時短手段と、開放延長手段は作動を停止する。尚、本実施例では、確変手段の作動時に、確変手段は、「特別図柄の当否判定において、大当り判定がなされる確率を高く設定すること」に加えて、「特別図柄や普通図柄の変動時間を短く設定すること」も行う。つまり、遊技機１が実行する「確変モード」は、実質的に、時短モードをも実行するモードと言える。但し、本実施例では、確変モードが解除された後であって、時短手段と、開放延長手段とが作動している場合のみを「時短モード」と称することとする。
【０１３７】
普通図柄表示部５６は、１個のＬＥＤ５６ａを用いて構成され、前述の如く、「普通図柄作動ゲート（普通図柄作動口）１６に伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部５６は点滅表示を開始する。そして、「当否抽選に関する結果の表示」の実行時期が到来すると（換言すると、普通図柄の変動時間を終了すると）、普通図柄表示部５６を用いて、「当否抽選に関する結果」の確定表示がなされる。具体的には、ＬＥＤ５６ａを点灯状態とすることで、当該「当否判定に関する結果」が当り（普通図柄に関する当否抽選の結果が当り）であることが確定表示され、ＬＥＤ５６ａを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｅ（後述する。）が、所定時間（例えば、０．５秒）開放駆動される。
【０１３８】
本実施例では、このように、ＬＥＤ５６ａを点灯状態としたり、消灯状態とすることで、普通図柄の確定表示を示し、ＬＥＤ５６ａを点滅状態とすることで、普通図柄の変動表示を示す。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄の表示を行うこともできる。
【０１３９】
右下表示装置６０は、図７に示すように、可変入賞装置（大入賞装置）３１の右側方に配置されている。この右下表示装置６０は、図２３（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１４０】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、特別図柄表示部６２は、「７個のＬＥＤ６２ａ〜６２ｇ」を順次、点灯させる。具体的には、略長円状に配設された「７個のＬＥＤ６２ａ〜６２ｇ」において、この略長円状を周回する方向に沿って、「７個のＬＥＤ６２ａ〜６２ｇ」が点灯する。
【０１４１】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１４２】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。具体的には、一方のＬＥＤ６３ａを点灯させ、他方のＬＥＤ６３ｂを消灯させて、「特別図柄表示部６２においてなれる大当り表示」が、「第１の大当り」であることが示される。また、一方のＬＥＤ６３ａを消灯させ、他方のＬＥＤ６３ｂを点灯させて、「特別図柄表示部６２においてなれる大当り表示」が、「第２の大当り」であることが示される。
【０１４３】
尚、「第１の大当り」に起因して実行される「第１の特別遊技状態」は、１５回、可変入賞装置３１を開放状態としつつ実行され、この「第１の特別遊技状態」が実行されると、遊技者は、大量の賞球を期待することができる。この「第１の特別遊技状態」の終了後に、遊技機の確率モード（当否判定において、大当り判定が得られる確率の状態）は、「通常モード」になる場合と、「高確率モード」になる場合がある。つまり、「第１の特別遊技状態」においては、開閉板３１ｂ（開閉部材）に、「第１の単位駆動」が施される。この「第１の単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３５秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。そして、この「第１の単位駆動」が、所定のインターバル時間（以下、「第１のインターバル時間」という。）を挟みつつ、計１５回実行されると、遊技機１の遊技状態は、第１の大当り遊技状態から通常遊技状態に戻される。この「第１の特別状態」の終了後においては、確率モードが、通常遊技モードとされる場合と、高確率モードとされる場合とがある。
【０１４４】
一方、「第２の大当り」に起因して実行される「第２の特別遊技状態」は、２回、可変入賞装置３１を開放状態としつつ実行され、この「第２の特別遊技状態」が実行されても、実質的に賞球を生じないようにされる（全く生じないことを前提とするが、偶発的に生ずることがある。）。但し、この「第２の特別遊技状態」の終了後に、遊技機の確率モード、必ず、「高確率モード」になる。つまり、「第２の特別遊技状態」においては、開閉板３１ｂ（開閉部材）に、「第２の単位駆動」が施される。この「第２の単位駆動」は、開閉板３１ｂ（開閉部材）の姿勢を、「閉鎖姿勢」から、「開放姿勢」に移行させ、この開放姿勢を、「第１の時間よりも短い第２の時間（例えば、０．０５秒〜０．３５秒から選択される時間）」維持した後、この開閉板３１ｂ（開閉部材）の姿勢を、閉鎖姿勢に戻すこと、で構成される「開閉板３１ｂ（開閉部材）の開閉動作）」によって構成される。この「第２の単位駆動」が終了すると、遊技機１の遊技状態は、第２の特別遊技状態から通常遊技状態に戻される。そして、この「第２の特別状態」の終了後においては、確率モードが、一律に高確率モードとされる。
【０１４５】
本実施例では、個々の第２の単位駆動のために費やされる時間（第１の時間）は、個々の第１の単位駆動のために費やされる時間（第１の時間）よりも短く設定されている。しかも、「第２の特別遊技状態の間に実行される第２の単位駆動の回数」は、「第１の特別遊技状態の間に実行される第１の単位駆動の回数」よりも少なく設定されている。このため、「第２の特別遊技状態」の実行中において可変入賞装置３１へ遊技球が入賞する確率（前述の「第２の確率」）は、「第１の大当り遊技状態」の実行中において可変入賞装置３１へ遊技球が入賞する確率（前述の「第１の確率」）に比べて低くされている。そして、本実施例では、第２の時間が「ごく短時間（０．０５秒〜０．３５秒から選択される時間）」に設定されると共に、「第２の単位駆動」の「繰り返し実行回数」が最小回数（２回）に設定されている。このため、「第２の確率」は特に低くされ、遊技球の入賞は、ごく希にしか生じない。
【０１４６】
図２３（ａ）に示すように、２個の一般入賞装置４０、４１は、左下表示装置５０を構成する取付板５１に一体化され、図２３（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図２５参照）が配設されている。また、各一般入賞装置４０、４１、４３、４４は、それらの後方で連通する一般入賞球通過孔（５０３ｃ及び６０３ｃ、５０３ｅ及び６０３ｅ、５０３ｇ及び６０３ｇ、５０３ｈ及び６０３ｈ）に連通している。
【０１４７】
図７に示すように、遊技盤１０の下方にはアウト口１８が設けられている。また、アウト口１８は、その後方で連通する、アウト球通過孔５０３ｋ、６０３ｋと連通している。更にアウト口１８の下部にはバック球防止部材（図示を省略）が設けられている。そして、遊技領域１１に到達せず戻ってきた遊技球が再び発射位置に戻ることを防止している。また、ファール球防止部材１５は、内レール１３の先端部に取り付けられている。但し、図８においては、ファール球防止部材１５の図示を省略している。また、多数の障害釘は、以上説明した各盤部品との位置バランスを考慮して、遊技領域１１にパチンコ遊技に適するべく、配設されているが、各図（図７、図８等）においては、その図示を省略している。
【０１４８】
尚、本遊技機１では、前述のように、上皿部材５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１４９】
ｅ．遊技機１の裏面構造
次に、本実施例の遊技機１の裏面構造について図２４を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１５０】
裏機構盤１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１５１】
賞球タンク１０５には底部にタンクスイッチが設けられており、球切れを検出することができる。また、賞球タンク１０５と賞球払出装置１０９とは、タンクレール１０６によって接続されている。更に、図２４において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図２４は、図示が煩雑となることを避けるために、振り分け部の表示は省略されている。
【０１５２】
主制御基板ケース、中継端子板や、払出制御基板ケース１１８等の各種基板類は、裏機構盤１０２に回動自在に懸架された図示しない金属板に、着脱自在に装着されている。
【０１５３】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部材用球通路部材が設けられている。
【０１５４】
（２）制御回路の構成
次に、図２５〜図２７を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１５５】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１５６】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２５〜図２７中の矢印の向きは、データあるいは信号を入出力する方向を表している。また、図２６においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１５７】
主制御部２００Ａ（主制御基板２００）は、普通図柄作動ゲート通過検出スイッチ１６ｓ、始動入賞検出スイッチ１７ｓ、入賞球検出スイッチ３１ｓ、４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１５８】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示基板２２２やスピーカーＳＰを駆動するアンプ基板２２４が接続されている。
【０１５９】
演出制御部２２０Ａ（演出制御基板２２０）は、装飾用の各種ＬＥＤ基板４ｃ〜４ｉ等を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１６０】
払出制御部２４０Ａ（払出制御基板２４０）は、所謂、貸球や賞球の払い出しに関する各種の制御を司っている。例えば、遊技者が上皿部材５に設けられた球貸スイッチ５ｂや返却スイッチ５ｃを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１６１】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１６２】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１６３】
下皿部材６に設けられた下皿満タンスイッチ６ｓからの信号も払出制御部２４０Ａ（払出制御基板２４０）に入力されている。このため、下皿部材６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。加えて、前面枠４が開放状態となっていることを検出する前面枠スイッチ４ｓからの信号も、払出制御部２４０Ａ（払出制御基板２４０）に入力されている。このため、何らかの理由で前面枠４が明けられた場合には、賞球の払い出し、或いは、遊技球の球貸し等の動作を中止することが可能となっている。また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１６４】
次に、演出制御部２２０Ａ（演出制御基板２２０）に対する信号或いはコマンドの入出力関係について説明する。前述のように、演出制御部２２０Ａ（演出制御基板２２０）には、演出表示基板２２２と、アンプ基板２２４、装飾駆動基板２２６、演出ボタン基板２２８などの各種基板が接続されている。
【０１６５】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰ１〜ＳＰ４で出力する効果音、更には、（ｃ）各種ＬＥＤランプや、「ＬＥＤ基板４ｃ〜４ｉに搭載されたＬＥＤランプ」の点灯若しくは点滅の具体的な態様を決定する。次いで、演出制御部２２０Ａ（演出制御基板２２０）の駆動信号を演出表示基板２２２に出力して、演出用図柄の変動停止表示を行う。このとき、表示されるキャラクタ図柄や背景図柄などの一部データについては、中央表示装置（液晶表示装置）２７、或いは、演出表示基板２２２に内蔵された演出表示ＲＯＭ２７ｒに格納されているデータを使用する。
【０１６６】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤランプ、「ＬＥＤ基板４ｃ〜４ｉに搭載されたＬＥＤランプ」等の駆動信号を出力することによって、各種ＬＥＤの点灯・点滅動作等を制御する。更に、上皿部材５の前面側に設けられた操作スイッチＳＷを、遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１６７】
（３）実施例の効果
本実施例の遊技機１では、遊技盤１０の表層部を構成する表側板状部材５００に対しては、直接、「レールピン８００」を嵌合しない。このため、外側レール１２及び内側レール１３の固定の際に、「圧入手法」を用いても、遊技盤１０の表層部に、「目立つ、ひび割れ」を生ずることはない。しかも、各嵌合用突部６００Ｋが対応する貫通孔（Ｋ１１〜Ｋ１７、Ｋ２１〜Ｋ２８）に嵌合され、各嵌合用突部６００Ｋの周面部が、貫通孔（Ｋ１１〜Ｋ１７、Ｋ２１〜Ｋ２８）の内壁面で包囲され、保護された状態となる。このため、各嵌合用突部６００Ｋに、たとえ、「ひび割れ」等を生じても、この「ひび割れ」は、裏側板状部材６００の他の部位（各嵌合用突部６００Ｋ以外の部位）に伝播し難い。従って、外側レール１２及び内側レール１３の固定の際に、「圧入手法」を採用しても、遊技盤１０、ひいては、遊技機１の美観を大きく低下させることはない。
【０１６８】
また、本実施例の遊技機１によると、外側レール１２及び内側レール１３の固定手法として「圧入手法」を積極的に使用できるため、「外側レール１２及び内側レール１３の遊技盤１０に対する好適な固定状態（安定的な固定状態）」を得ることができる。つまり、「レールピン８００」において固定穴６０１Ｋに嵌合される部位（即ち、固定用突起８１０、８２０を構成する部位）のサイズを、固定穴６０１Ｋのサイズよりも若干、大き目（プラス目）に設定し、この「部位」を固定穴６０１Ｋに対して圧入しつつ嵌合（挿嵌）することで、「外側レール１２及び内側レール１３の遊技盤１０に対する好適な固定状態（安定的な固定状態）」を得ることができる。
【０１６９】
また、本実施例によると、全体を樹脂で構成する遊技盤１０等においても、「金属製レール」の積極的な使用が可能であるため、以下のような効果を得ることもできる。つまり、「通常の遊技機（即ち、木製の遊技盤を備える遊技機）において使用している金属製レール」を、本実施例の遊技盤１０に対しても流用できる。しかも、この「金属製レール」の装着方法として、「通常の遊技機において使用している装着方法」を、そのまま、流用できる。よって、本実施例においては、「遊技盤１０を、表層部を樹脂で構成する積層体で構成すること」と、この「積層体に金属製レールを装着すること」が原因となり、遊技機１の製造コストが高くなることはない。しかも、「金属製レール」を好適に使用可能なため、前述の「樹脂製レールを用いる場合の不具合（球飛びの不安定化、遊技球との接触により遊技レールから発生する屑が透明板に付着する等）を、生ずることもない。
【０１７０】
Ｂ．実施例２
次に、実施例２に係る遊技機について説明する。この実施例２の遊技機は、以下の点を除いて、実施例１の遊技機１と同様である。
【０１７１】
つまり、実施例２の遊技機は、図２８及び図２９に示すように、（１）固定用突起８１０を、外側レール１２に対して一体的に設けた点と、（２）固定用突起８２０を、内側レール１３に対して一体的に設けた点と、（３）固定用突起８１０及び固定用突起８２０の形状が異なる点と、（４）固定穴６０１の開口形状が略矩形状とされる点、とを除いて、実施例１の遊技機１と同様である。尚、固定用突起８１０及び固定用突起８２０は、突出方向に沿った中間部にアンカー部８３０（外径が段差状に大きくする部分等）を備えている。
【０１７２】
この実施例２においても、実施例１と同様な効果を得ることができる。加えて、実施例２においては、固定用突起（８１０、８２０）を、レール本体（外側レール１２、内側レール１３）に一体化しているため、レール部材の構造の簡略化や、レール本体の遊技盤１０への取付作業の効率化を図ることもできる。
【０１７３】
Ｃ．実施例３
次に、実施例３に係る遊技機について説明する。この実施例３の遊技機は、実施例２の遊技機の変形例を構成するものあり、以下の点を除いて、実施例２の遊技機と同様である。
【０１７４】
つまり、この実施例３の遊技機は、図３０及び図３１に示すように、（１）各嵌合用突部６００Ｋを、裏側板状部材６００と別体とし、しかも、この嵌合用突部６００Ｋを弾性部材６００Ｄを用いて構成した点と、（ｂ）裏側板状部材６００の表面部６００ａにおいて、被装着部６５０を開口させた点とが、異なる他は、実施例２と同様である。
【０１７５】
即ち、実施例３においては、裏側板状部材６００の表面部６００ａであって、各貫通孔（Ｋ１１〜Ｋ１７、Ｋ２１〜Ｋ２８）と前後に位置合わせされる部位には、被装着部６５０が略円形に開口している。この被装着部６５０は、裏側板状部材６００の表面部６００ａにおいて開口し、裏側板状部材６００の裏面部６００ｂの方向に凹む、凹部として構成されている。
【０１７６】
嵌合用突部６００Ｋを構成するための弾性部材６００Ｄは、ゴム、木材等、若しくは、エラストマー等の弾性に富んだ素材（つまり、表側板状部材５００を構成する樹脂よりも弾性に富んだ素材）で構成され、略円柱形の外形を備えている。そして、各被装着部６５０には、弾性部材６００Ｄの一端部６０１Ｄ側が装着されている。そして、弾性部材６００Ｄにおいて、裏側板状部材６００の表面部６００ａよりも、突出する他端部６０２Ｄ側によって嵌合用突部６００Ｋが構成されている。尚、嵌合用突部６００Ｋの他端面、つまり、嵌合用突部６００Ｋの突端部においては、固定穴６０１Ｋが開口している。
【０１７７】
この実施例３においても、実施例２と同様な効果を得ることができる。加えて、実施例３においては、嵌合用突部６００Ｋを弾性に富んだ素材で構成するため、固定用突起８１０、８２０を、固定穴６０１Ｋに圧入する際に、固定用突起８１０、８２０に不用意な変形（圧入する際の不用意な曲がり）等を生ずることを、より確実に防止できる。しかも、「嵌合用突部６００Ｋ」が、クッションとなりつつ、「外側レール１２及び内側レール１３」の装着状態の安定化を図ることができるため、「外側レール１２及び内側レール１３」のガタツキを、より確実に防止できる。
【０１７８】
更に、実施例３において、裏側板状部材６００及び嵌合用突部６００Ｋを別体とするため、以下のような効果を得ることもできる。つまり、固定用突起８１０、８２０の圧入作業の際に、嵌合用突部６００Ｋに破損等を生じさせた場合でも、弾性部材６００Ｄのみを交換すればよい。即ち、固定用突起８１０、８２０の圧入作業の際に、嵌合用突部６００Ｋに不良等を生じた場合でも、簡単で、安価に対処することができる。また、嵌合用突部６００Ｋが劣化し、弾性の低下を生じ、外側レール１２や内側レール１３に予定外のガタツキを生じた場合でも、弾性部材６００Ｄのみを交換すればよい。即ち、外側レール１２や内側レール１３に予定外のガタツキを生じた場合でも、簡単、安価に対処することができる。
【０１７９】
更に、アンカー部８３０の作用で、固定用突起８１０（８２０）の嵌合用突部６００Ｋからの抜け止めが図られる。しかも、嵌合用突部６００Ｋが、ゴム、木材等、若しくは、エラストマー等の摩擦抵抗の大きな（裏側板状部材６００を構成する樹脂、つまり、ＡＢＳに比べて、摩擦抵抗の大きな）素材で構成され、嵌合用突部６００Ｋの各貫通孔（Ｋ１１〜Ｋ１７、Ｋ２１〜Ｋ２８）からの抜け止めが図られる。このため、嵌合用突部６００Ｋを、裏側板状部材６００と別体で構成しつつも、「外側レール１２及び内側レール１３」の取付状態の安定化が図られる。
【０１８０】
次に、実施例３の変形例について、図３２（ａ）〜（ｂ）を用いて説明する。つまり、実施例３においては、図３２（ａ）の第１の変形例に示すように、弾性部材６００Ｄの周面部から位置決め用突起６０５Ｄ（位置決め用突起６０５Ｄの数は、単数であっても、複数であってもよい。）を突出させ、裏側板状部材６００において、各貫通孔（Ｋ１１〜Ｋ１７、Ｋ２１〜Ｋ２８）の内壁を構成する部位に、位置決め用突起６０５Ｄをスライド状に嵌合させる凹部５０５Ｆを設ける。この第１の変形例によると、位置決め用突起６０５Ｄを凹部５０５Ｆに、スライド状に嵌合させることで、弾性部材６００Ｄを、その軸心回りに位置決めすることができる。
【０１８１】
同様に、弾性部材６００Ｄを、断面形状が略矩形状、略三角形状、略多角形状、若しくは、略楕円形状の柱形状として、各貫通孔（Ｋ１１〜Ｋ１７、Ｋ２１〜Ｋ２８）の孔形状を、この弾性部材６００Ｄを嵌合可能な孔形状とすることによっても、弾性部材６００Ｄを、その軸心回りに位置決めすることができる。
【０１８２】
尚、本明細書においては、実施例３を、実施例２の変形例として説明したが、実施例３を、実施例１の変形例とすることもできる。つまり、「レールピン８００を用いて構成した固定用突起８１０（８２０）」を、「弾性部材６００Ｄを用いて構成した嵌合用突部６００Ｋ」の固定穴６０１Ｋに挿嵌することで、外側レール１３（内側レール１３）を遊技盤１０に固定することもできる。
【０１８３】
Ｄ．実施例４
次に、実施例４に係る遊技機について説明する。この実施例の遊技機は、実施例３の遊技機の変形例を構成するものあり、以下の点を除いて、実施例３の遊技機と同様である。つまり、この実施例３の遊技機は、図３３及び図３４に示すように、（１）裏側板状部材６００を、第１の板状体７００と第２の板状体７１０の積層体によって構成した点（以下、「相違点１」という。）と、（２）表側板状部材５００と、第１の板状体７００とを、第２の板状体７１０に対して位置決めしつつ、表側板状部材５００及び裏側板状部材６００の積層体を構成する点（以下、「相違点２」という。）と、（３）セル画Ｇを、第１の板状体７００の表面部７００ａに形成する点（以下、「相違点３」という。）と、（４）弾性部材６００Ｄの一端部６０１Ｄに、フランジ部６００Ｔを設けた点（以下、「相違点４」という。）と、が、実施例３の遊技機と異なっている。その他の点に関しては、実施例３と同様である。
【０１８４】
本実施例４においては、相違点１〜相違点４を中心に説明する。先ず、相違点１について説明する。つまり、実施例４においては、図３３及び図３４に示すように、裏側板状部材６００が、第１の板状体７００と、第１の板状体７００の裏側に配置した第２の板状体７１０との積層体として構成されている。また、図３４に示すように、第１の板状体７００において各貫通孔（Ｋ１１〜Ｋ１７、Ｋ２１〜Ｋ２８）の裏側に位置する部位には、当該各貫通孔（Ｋ１１〜Ｋ１７、Ｋ２１〜Ｋ２８）と連通する各連通孔７００Ｒが設けられている。
【０１８５】
図３４に示すように、各連通孔７００Ｒには、第１の板状体７００の裏側から、弾性部材６００Ｄが挿通されると共に、各弾性部材６００Ｄにおいて、第１の板状体７００の裏面部７００ｂ側に位置する一端部６０１Ｄが第２の板状体７１０の表面部７１０ａに当接している。また、弾性部材６００Ｄにおいて、第１の板状体７００の表面部７００ａ側に突出する他端部６０１Ｄ側によって、嵌合用突部６００Ｋが構成されている。
【０１８６】
次に、相違点２について説明する。つまり、図３３に示すように、第１の板状体７００において、表側板状部材５００の各位置決め孔５０１、５０１、５０１、５０１と前後に位置合わせされる部位には、裏側位置決め孔７０１、７０１、７０１、７０１が設けられている。また、第２の板状体７１０の表面部７１０ａにおいて、各位置決め孔５０１、５０１、５０１、５０１と前後に位置合わせされる部位からは、位置決め突起７１１、７１１、７１１、７１１が突出している（前方に向かって突出している。）。そして、表側板状部材５００と裏側板状部材６００とを積層すると、位置決め孔５０１、５０１、５０１、５０１と対応する裏側位置決め孔７０１、７０１、７０１、７０１とが前後に位置合わせされて連通する。同時に、前後に連通する「位置決め孔５０１及び裏側位置決め孔７０１」に対して、各位置決め突起６０１、６０１、６０１、６０１が嵌合される。このとき、各位置決め突起６０１の突端部は、表側板状部材５００の表面部５００ａと略面一となる。尚、図示を省略するが、中央表示装置２７は、第２の板状体７１０の裏面部７１０ｂに固着されている。
【０１８７】
更に、相違点３について説明する。つまり、図３３に示すように、実施例４において、セル画Ｇは、第１の板状体７００の表面部７００ａに印刷を用いて形成されている。但し、前述の装飾シート６２０を、第１の板状体７００の表面部７００ａに貼着することで、第１の板状体７００の表面部７００ａに、セル画を形成することもできる。また、実施例４においては、弾性部材６００Ｄの一端部６０１Ｄに、フランジ部６００Ｔを設け、弾性部材６００Ｄの一端部６０１Ｄの外径が、各連通孔７００Ｒの内径よりも大きくされている（相違点４）。
【０１８８】
この実施例４においても、実施例３と同様な効果を得ることができる。加えて、実施例４においては、弾性部材６００Ｄの裏側に、第２の板状体７１０が配置されるため、この弾性部材６００Ｄが、遊技盤１０の裏側に脱落することが防止される。しかも、弾性部材６００Ｄの一端部６０１Ｄに、フランジ部６００Ｔが設けられ、この弾性部材６００Ｄが、遊技盤１０の表側に脱落することも防止される。また、弾性部材６００Ｄが、「遊技領域１１を流下する遊技球」に及ぼす影響を排除できる。
【０１８９】
更に、実施例４によると、遊技盤１０の構成部品の汎用性を高めたり、「他の機種の遊技機の構成部品」への転用を促進することができる。つまり、遊技盤１０の前面部１０ａに配設する盤部品（始動入賞装置１７、下部装置３０、左下表示装置５０、右下表示装置６０、一般入賞装置４０、４１、４３、４４等）の共通化と、障害釘の配置態様の共通化等を図ることを前提に、表側板状部材５００及び第２の板状体７１０（裏面部７１０ｂに中央表示装置２７が固着された状態の第２の板状体７１０）を、汎用的に用いたり、「他の機種の遊技機の構成部品」として転用することができる。
【０１９０】
尚、前述の「第１の変形例」及び「第２の変形例」を、実施例４に対しても適用することができる。
【０１９１】
次に、実施例４の変形例について、図３５（ａ）及び（ｂ）を用いて説明する。つまり、図３５（ａ）に示す変形例（以下、「第３の変形例」という。）においても、実施例４と同様に、裏側板状部材６００が、第１の板状体７００と、第１の板状体７００の裏側に配置した第２の板状体７１０との積層体として構成されている。また、第１の板状体７００において各貫通孔（Ｋ１１〜Ｋ１７、Ｋ２１〜Ｋ２８）の裏側に位置する部位には、当該各貫通孔（Ｋ１１〜Ｋ１７、Ｋ２１〜Ｋ２８）と連通する各連通孔７００Ｒが設けられている。但し、第３の変形例においては、第２の板状体７１０に設けた固定用突出部７１０Ｔを用いて、嵌合用突部６００Ｋを構成する点が、実施例４と異なっている。
【０１９２】
つまり、第３の変形例においては、第２の板状体７１０の表面部７１０ａのうちで、各貫通孔（Ｋ１１〜Ｋ１７、Ｋ２１〜Ｋ２８）の裏側に位置する部位から、固定用突出部７１０Ｔが突出（前方に向かって突出）している。そして、各連通孔７００Ｒには、第１の板状体７００の裏側から、固定用突出部７１０Ｔが挿通されると共に、固定用突出部７１０Ｔの基端部７１１Ｔ側が各連通孔７００Ｒに挿通された状態となる。このとき、固定用突出部７１０Ｔにおいて、第１の板状体７００の表面部７００ａ側に突出する突端部７１２Ｔ側によって、嵌合用突部６００Ｋが構成されている。
【０１９３】
この第３の変形例によると、実施例１と同様な効果を得ることができる。しかも、実施例４と同様に、遊技盤１０の構成部品の汎用性を高めたり、「他の機種の遊技機の構成部品」への転用を促進することができる。
【０１９４】
また、図３５（ｂ）に示す変形例（以下、「第４の変形例」という。）においても、実施例４と同様に、裏側板状部材６００が、第１の板状体７００と、第１の板状体７００の裏側に配置した第２の板状体７１０との積層体として構成されている。但し、第１の板状体７００において各貫通孔（Ｋ１１〜Ｋ１７、Ｋ２１〜Ｋ２８）の裏側に位置する部位からは、嵌合用突部６００Ｋが突出している。この第４の変形例によると、実施例１と同様な効果を得ることができる。しかも、実施例４と同様に、遊技盤１０の構成部品の汎用性を高めたり、「他の機種の遊技機の構成部品」への転用を促進することができる。
【０１９５】
Ｅ．実施例５
次に、実施例５に係る遊技機について説明する。この実施例の遊技機は、実施例１の遊技機１の変形例を構成するものあり、以下の点を除いて、実施例１の遊技機と同様である。つまり、この実施例５の遊技機は、図３６に示すように、（１）外側レール１２の「一方の側縁部１２ａ側」と、内側レール１３の「一方の側縁部１３ａ側」を屈曲させ、取付代１２ｄ、１３ｄを構成した点と、（２）この取付代１２ｄ、１３ｄに装着される「ビスＢ」の雄ネジ部ｂを用いて固定用突起を構成した点と、（３）嵌合用突部６００Ｋの突端部に設けられた案内孔（下孔）６００Ｍによって固定穴を構成する点が、実施例１と異なる。そして、この実施例５によっても、実施例１と同様な効果が得られる。
【０１９６】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１９７】
即ち、裏側板状部材６００の構成素材は、本実施例で例示する樹脂に限定されない。例えば、木材（合板等）や金属等であってもよい。
【０１９８】
また、実施例１〜実施例５においては、「遊技盤１０に配設される全てのレール本体」に対して、各請求項の発明を適用する態様を例示した。ところが、このように、複数の「レール本体」が遊技盤１０に配設される遊技機においては、全「レール本体」から選択される幾つかの「レール本体」に対してのみ、各請求項の発明を適用することもできる。例えば、外側レール１２を金属製とし、内側レール１３を樹脂製とする態様、即ち、外側レール１２及び内側レール１３のうちの外側レール１２に対してのみ、各請求項の発明を適用する態様を例示することもできる。この態様は、「外側レール１２に打球が当たる頻度」と、「内側レール１３に打球が当たる頻度」とを考慮し、外側レール１２及び内側レール１３の構成素材を選択するものである。つまり、「一般に、打球が当たる頻度が高い外側レール１２」を、「球飛びの安定化に有効な金属製レール」とし、「一般に、打球が当たる頻度が低い内側レール１３」を、「樹脂製の表側板状部材（遊技盤の表面部）との一体感を高めることが容易な樹脂製レール」とする態様を例示することもできる。
【産業上の利用可能性】
【０１９９】
本発明は、遊技機を製造、販売等する分野において利用できる。
【図面の簡単な説明】
【０２００】
【図１】本発明の各実施例に係る遊技機を示す斜視図である。
【図２】本発明の各実施例に係る遊技機において、遊技盤を示す正面図である。
【図３】本発明の各実施例に係る遊技機において、中枠を説明するための概略的な説明図である。
【図４】本発明の各実施例に係る遊技機において、中枠を説明するための概略的な背面図である。
【図５】（ａ）は図４の１−１断面図、（ｂ）は中枠が遊技盤を保持した状態を説明するための説明図、（ｃ）は図４の２−２断面図、（ｄ）は中枠が遊技盤を保持した状態を説明するための説明図である。
【図６】中枠が遊技盤を保持した状態を説明するための概略的な背面図である。
【図７】本発明の各実施例に係る遊技機において、遊技盤を示す正面図である。
【図８】本発明の各実施例に係る遊技機において、遊技盤を示す斜視図である。
【図９】実施例１の遊技盤の分解斜視図である。
【図１０】図７の遊技盤を構成する表側板状部材の正面図である。
【図１１】図７の遊技盤を構成する裏側板状部材の正面図である。
【図１２】内側レール及び外側レールの固定方法等の具体例を説明するための分解斜視図である。
【図１３】内側レール及び外側レールが、固定された遊技盤の具体例を示す説明図である。
【図１４】（ａ）は遊技盤の組付方法の具体例を示す説明図であり、（ｂ）は内側レール及び外側レールの固定方法等の具体例を説明するための説明図である。
【図１５】内側レール及び外側レールが、固定された遊技盤の具体例を示す説明図である。
【図１６】（ａ）及び（ｂ）はレール固定用のピンの装着方法等の具体例をを説明するための説明図である。
【図１７】図７の遊技盤を構成する裏側板状部材の斜視図である。
【図１８】流下経路変更部材の正面図である。
【図１９】流下経路変更部材と、遊技盤を説明するための縦断面図である。
【図２０】図７のａ−ａ断面図である。
【図２１】図７のｂ−ｂ断面図である。
【図２２】中央表示装置（画像表示装置）の固着方法を説明するための説明図である。
【図２３】（ａ）は本発明の各実施例において、左下表示装置の概略的な正面図であり、（ｂ）は本発明の実施例において、右下表示装置の概略的な正面図である。
【図２４】本発明の各実施例に係る遊技機において、遊技盤を示す背面図である。
【図２５】本発明の実施例に係る電子制御装置を示すブロック図である。
【図２６】本発明の実施例に係る電子制御装置を示すブロック図である。
【図２７】本発明の実施例に係る電子制御装置を示すブロック図である。
【図２８】実施例２において、内側レール及び外側レールの固定方法等の具体例を説明するための分解斜視図である。
【図２９】（ａ）及び（ｂ）は実施例２において、内側レール及び外側レールの固定方法等の具体例を説明するための説明図である。
【図３０】実施例３において、内側レール及び外側レールの固定方法等の具体例を説明するための説明図である。
【図３１】実施例３において、内側レール及び外側レールの固定方法等の具体例を説明するための説明図である。
【図３２】（ａ）は第１の変形例を示す説明図であり、（ｂ）は第２の変形例を示す説明図である。
【図３３】実施例４の遊技盤の分解斜視図である。
【図３４】（ａ）及び（ｂ）は実施例４において、内側レール及び外側レールの固定方法等の具体例を説明するための説明図である。
【図３５】（ａ）は第３の変形例を示す説明図であり、（ｂ）は第４の変形例を示す説明図である。
【図３６】実施例５において、内側レール及び外側レールの固定方法等の具体例を説明するための説明図である。
【符号の説明】
【０２０１】
１；遊技機（弾球遊技機）、
２；外枠、
３；中枠（ベース枠部材）、
１０；遊技盤、
１１；遊技領域、
１２；外側レール（レール本体）、
１３；内側レール（レール本体）、
５００；表側板状部材、
６００；裏側板状部材、
６００Ｋ；嵌合用突部、
６０１Ｋ；固定穴、
６１１；貫通部、
６２０；装飾シート。
Ｋ１１〜１７、Ｋ２１〜Ｋ２８；貫通孔、
８００；レール固定用のピン（レール固定部材）、
８１０、８２０；固定用突起。
【図１】
2008029656.tif 000003
【図２】
2008029656.tif 000004
【図３】
2008029656.tif 000005
【図４】
2008029656.tif 000006
【図５】
2008029656.tif 000007
【図６】
2008029656.tif 000008
【図７】
2008029656.tif 000009
【図８】
2008029656.tif 000010
【図９】
2008029656.tif 000011
【図１０】
2008029656.tif 000012
【図１１】
2008029656.tif 000013
【図１２】
2008029656.tif 000014
【図１３】
2008029656.tif 000015
【図１４】
2008029656.tif 000016
【図１５】
2008029656.tif 000017
【図１６】
2008029656.tif 000018
【図１７】
2008029656.tif 000019
【図１８】
2008029656.tif 000020
【図１９】
2008029656.tif 000021
【図２０】
2008029656.tif 000022
【図２１】
2008029656.tif 000023
【図２２】
2008029656.tif 000024
【図２３】
2008029656.tif 000025
【図２４】
2008029656.tif 000026
【図２５】
2008029656.tif 000027
【図２６】
2008029656.tif 000028
【図２７】
2008029656.tif 000029
【図２８】
2008029656.tif 000030
【図２９】
2008029656.tif 000031
【図３０】
2008029656.tif 000032
【図３１】
2008029656.tif 000033
【図３２】
2008029656.tif 000034
【図３３】
2008029656.tif 000035
【図３４】
2008029656.tif 000036
【図３５】
2008029656.tif 000037
【図３６】
2008029656.tif 000038